(57)【要約】【課題】送信電力を制御できる無線装置と、送信電力を制御できない無線装置とが共存する環境において送信電力を制御可能な通信システムを提供する。【解決手段】通信システムは、アクセスポイント１１〜２０を備える。アクセスポイント１１，１２，１５〜２０は、送信電力を制御するアクセスポイントであり、アクセスポイント１３，１４は、送信電力を制御しないアクセスポイントである。アクセスポイント１１，１２，１５〜２０は、１つのスロットのｄｏＴＰＣ時間帯において、最大の送信電力Ｐｍａｘよりも小さい送信電力を用いてデータパケットを送受信する。アクセスポイント１３，１４は、１つのスロットのｎｏＴＰＣ時間帯において、最大の送信電力Ｐｍａｘでデータパケットを送受信する。【選択図】図１４
2012209836.tif 000002
【特許請求の範囲】
【請求項１】
送信電力を制御してデータパケットを送信する第１のアクセスポイントと、
前記第１のアクセスポイントにおける使用チャネルと同じチャネルを用いて送信電力を制御せずに最大の送信電力でデータパケットを送信する第２のアクセスポイントと、
前記第１のアクセスポイントにおける使用チャネルと同じチャネルを用いて送信電力を制御してデータパケットを送信するとともに、前記第２のアクセスポイントを制御する第３のアクセスポイントとを備え、
前記第３のアクセスポイントは、１つのスロットを前記第１および第３のアクセスポイントが前記データパケットを送信する第１の時間帯と前記第２のアクセスポイントが前記データパケットを送信する第２の時間帯とに分割し、その分割された第１および第２の時間帯をブロードキャストする処理をスロット毎に実行するとともに、前記第１の時間帯において前記最大の送信電力よりも小さい送信電力でデータパケットを送信し、
前記第１のアクセスポイントは、前記第１の時間帯において前記最大の送信電力よりも小さい送信電力でデータパケットを送信し、
前記第２のアクセスポイントは、前記第１の時間帯においてデータパケットの送信を停止し、前記第２の時間帯において前記最大の送信電力でデータパケットを送信する、通信システム。
【請求項２】
前記第３のアクセスポイントは、前記第１の時間帯において前記第２のアクセスポイントから送信されたデータパケットを受信したとき、前記第１の時間帯を更新してブロードキャストする、請求項１に記載の通信システム。
【請求項３】
前記第１のアクセスポイントのうち、前記第２のアクセスポイントに隣接しないアクセスポイントは、前記第１および第２の時間帯において前記最大の送信電力よりも小さい送信電力でデータパケットを送信する、請求項１に記載の通信システム。
【請求項４】
前記第１の時間帯は、前記第１および第３のアクセスポイントのチャネル使用率をスロット長に乗算して算出され、
前記第２の時間帯は、前記チャネル使用率を１から減算した減算結果に前記スロット長を乗算して算出される、請求項１から請求項３のいずれか１項に記載の通信システム。
【請求項５】
前記チャネル使用率は、前記第１および第３のアクセスポイントと、前記第２のアクセスポイントとに公平にチャネルを使用させるように決定される、請求項４に記載の通信システム。
【請求項６】
前記第１から第３のアクセスポイントは、電波を送受信できる隣接関係を有するアクセスポイントの集合である接続関係集合に含まれ、
前記第１のアクセスポイントの前記チャネル使用率は、前記第３のアクセスポイントの前記チャネル使用率と同じになるように決定される、請求項４または請求項５に記載の通信システム。
【請求項７】
前記第１および第３のアクセスポイントの各々における送信電力は、前記第２のアクセスポイントの通信範囲を除いて、前記第１および第３のアクセスポイントの各々の通信範囲におけるスループットを前記第１および第３のアクセスポイントの各々の通信範囲に隣接する隣接通信範囲における送信電力の影響を考慮して演算し、その演算したスループットが最大になるように算出される、請求項６に記載の通信システム。
【発明の詳細な説明】
【技術分野】
【０００１】
この発明は、通信システムに関するものである。
【背景技術】
【０００２】
無線ＬＡＮ（Ｌｏｃａｌ  Ａｒｅａ  Ｎｅｔｗｏｒｋ）は、学校やイベント会場などのホットスポットで広く使われている。カバレッジを確保するために、無線ＬＡＮのアクセスポイント（ＡＰ：Ａｃｃｅｓｓ  Ｐｏｉｎｔ）が密集して設置される。
【０００３】
しかし、オーバーラップしないチャネルの数が限られているので（２．４ＧＨｚにおいてオーバーラップしないチャネルは、3 つしかない）、多くのＡＰが同じチャネルを共有してしまう。同じチャネルを共有する隣接するＡＰの数が増えると共に、同一チャネル干渉問題がますます厳しくなり、全ネットワークの性能が劣化する可能性がある。
【０００４】
このような問題を解決する方法として、送信電力制御が挙げられる。ただし、送信電力制御によって、非対称リンク、非公平チャネル利用、隠れ端末問題などが起こりうる。
【０００５】
非特許文献１では、全ネットワーク上で共通の送信電力を使用することによって、非対称リンクを回避しながら送信電力を低減させる。
【０００６】
非特許文献２では、全てのＡＰを同期させて、チャネルを時間軸に沿ってスロットに分ける。そして、同じスロットにおいて全てのＡＰが同じ電力で送信し、スロットごとに送信電力を変えることによって、送信電力制御の効率を向上させる。
【０００７】
非特許文献３では、ＡＰと端末間のリンク品質を考慮しながら、送信レートを確保するように送信電力制御を行っている。
【０００８】
非特許文献４では、隣接セル間の干渉を考慮して各セルの送信電力を算出し、ＡＰの密度に応じてネットワーク上で隣接するＡＰ間の送信電力がスムーズに変わるように送信電力を調整する。
【先行技術文献】
【非特許文献】
【０００９】
【非特許文献１】V. Kawadia, P. R. Kumar, “Principles and protocols for power control in wireless ad hoc networks,” IEEE JSAC, Volume 23, Issue 1, Jan. 2005, Page(s): 76-88.
【非特許文献２】Vishnu Navda, Ravi Kokku, Samrat Ganguly, Samir Das, “Slotted Symmetric Power Control in Wireless LANs,” Stony Brook University, Technical report, 2006.
【非特許文献３】Aditya Akella, Glenn Judd, Srinivasan Seshan, Peter Steenkiste, “Self Management in Chaotic Wireless Deployments,” MobiCom’05, 2005.
【非特許文献４】Suhua Tang, Hiroyuki Yomo, Akio Hasegawa, Mehdad N. Shirazi, Tetsuro Ueda, Ryu Miura, and Sadao Obana, “Improving performance of wireless networks with coordinated transmit power control,”IEICE Technical Report, Vol. 110, No. 19, RCS2010-11, pp. 61-66, Apr., 2010.
【発明の概要】
【発明が解決しようとする課題】
【００１０】
全ての無線装置の送信電力を制御できるなら、非特許文献１，２，４に開示された手法は、非対称リンクの問題を解決できる。
【００１１】
しかし、実際には、送信電力を制御できる無線装置と、送信電力を制御できない無線装置とが共存しており、従来の手法では、送信電力を制御する利点を生かすことが困難であるという問題がある。
【００１２】
そこで、この発明は、かかる問題を解決するためになされたものであり、その目的は、送信電力を制御できる無線装置と、送信電力を制御できない無線装置とが共存する環境において、送信電力を制御できない無線装置の設定を変えないで性能を劣化させずに、送信電力を制御できる無線装置での制御によって送信電力を制御できる無線装置のスループットを向上させる通信システムを提供することである。
【課題を解決するための手段】
【００１３】
この発明の実施の形態によれば、通信システムは、第１から第３のアクセスポイントを備える。第１のアクセスポイントは、送信電力を制御してデータパケットを送信する。第２のアクセスポイントは、第１のアクセスポイントにおける使用チャネルと同じチャネルを用いて送信電力を制御せずに最大の送信電力でデータパケットを送信する。第３のアクセスポイントは、第１のアクセスポイントにおける使用チャネルと同じチャネルを用いて送信電力を制御してデータパケットを送信するとともに、第２のアクセスポイントを制御する。そして、第３のアクセスポイントは、１つのスロットを第１および第３のアクセスポイントがデータパケットを送信する第１の時間帯と第２のアクセスポイントがデータパケットを送信する第２の時間帯とに分割し、その分割された第１および第２の時間帯をブロードキャストする処理をスロット毎に実行するとともに、第１の時間帯において最大の送信電力よりも小さい送信電力でデータパケットを送信する。また、第１のアクセスポイントは、第１の時間帯において最大の送信電力よりも小さい送信電力でデータパケットを送信する。更に、第２のアクセスポイントは、第１の時間帯においてデータパケットの送信を停止し、第２の時間帯において最大の送信電力でデータパケットを送信する。
【発明の効果】
【００１４】
この発明の実施の形態による通信システムにおいては、送信電力を制御する第１および第３のアクセスポイントは、送信電力を制御しない第２のアクセスポイントと異なる時間帯で無線通信を行なう。その結果、第１および第３のアクセスポイントによる無線通信は、第２のアクセスポイントによる無線通信と干渉しない。そして、第１および第３のアクセスポイントが送信電力を制御してデータパケットを送受信しても、非対称リンクが発生せず、スループットが向上する。また、第２のアクセスポイントの性能が劣化しない。
【００１５】
従って、送信電力を制御できる無線装置と、送信電力を制御できない無線装置とが共存する環境において送信電力を制御することによってスループットを向上できる。
【図面の簡単な説明】
【００１６】
【図１】この発明の実施の形態による通信システムの構成を示す概略図である。
【図２】図１に示す端末装置１の構成図である。
【図３】図１に示すアクセスポイントの構成図である。
【図４】図１に示す電力制御装置の構成図である。
【図５】直接隣接のアクセスポイントおよび間接隣接のアクセスポイントの概念図である。
【図６】ネイバーリストを示す図である。
【図７】ＣＳＧの具体例を示す図である。
【図８】送信電力の調整の具体例を示す図である。
【図９】制御アクセスポイントを決定する方法を説明するための図である。
【図１０】送信電力を制御するアクセスポイント（ｄｏＴＰＣのＡＰ）に隣接する送信電力を制御しないアクセスポイント（ｎｏＴＰＣのＡＰ）の算出例を示す図である。
【図１１】制御アクセスポイントを決定する方法を説明するためのフローチャートである。
【図１２】ＳＡＭフレームの構成図である。
【図１３】アクセスポイントと端末装置との間の実施例１における送信電力制御動作を示す図である。
【図１４】この発明の実施の形態における通信方法の概念図である。
【図１５】実施例２におけるチャネル使用率の決定方法を説明するためのフローチャートである。
【図１６】電力制御装置がアクセスポイントへ送信する情報を示す図である。
【図１７】アクセスポイントと端末装置との間の実施例２における送信電力制御動作を示す図である。
【発明を実施するための形態】
【００１７】
本発明の実施の形態について図面を参照しながら詳細に説明する。なお、図中同一または相当部分には同一符号を付してその説明は繰返さない。
【００１８】
図１は、この発明の実施の形態による通信システムの構成を示す概略図である。図１を参照して、この発明の実施の形態による通信システム１００は、端末装置１〜９と、アクセスポイント１０〜２１と、ネットワーク４０と、監視サーバ５０と、電力制御装置６０とを備える。
【００１９】
なお、この発明の実施の形態においては、アクセスポイント１０〜２１および端末装置１〜９の各々は、制御フレーム（それに対するＡＣＫを含む）を最大送信電力で送信する。
【００２０】
端末装置１〜９は、無線通信空間に配置される。そして、端末装置１〜９の各々は、例えば、ＷｉＦｉの無線インターフェースを備え、その備えた無線インターフェースによってインフラストラクチャモードでアクセスポイント１０〜２１のいずれかに接続する。
【００２１】
この場合、端末装置１〜９の各々は、例えば、未使用チャネルを自己とアクセスポイントとの間の無線通信のみに用いた場合のスループットである潜在スループットが最大になるアクセスポイントを接続先のアクセスポイントとして選択する。
【００２２】
そして、端末装置１〜９のうち、送信電力を制御できる端末装置は、接続したアクセスポイントから受信した送信電力を用いて無線通信を行う。
【００２３】
また、端末装置１〜９の各々は、アクセスポイント１０〜２１からビーコンフレームを定期的に受信する。そして、送信電力を制御できる端末装置は、その受信したビーコンフレームに基づいて、自己に隣接するアクセスポイントを示す隣接アクセスポイントリストを作成し、その作成した隣接アクセスポイントリストをネットワーク４０を介して監視サーバ５０へ送信する。
【００２４】
アクセスポイント１０〜２１の各々は、ＷｉＦｉの無線インターフェースを備える。そして、アクセスポイント１０〜２１のうち、アクセスポイント１０〜１２，１５〜２１は、送信電力を制御してデータパケット（それに対するＡＣＫを含む）を送信するアクセスポイントであり、アクセスポイント１３，１４は、送信電力を制御せずに（即ち、最大の送信電力を用いて）データパケット（それに対するＡＣＫを含む）を送信するアクセスポイントである。
【００２５】
このように、通信システム１００においては、送信電力を制御してデータパケットを送信するアクセスポイント１０〜１２，１５〜２１と、送信電力を制御せずにデータパケットを送信するアクセスポイント１３，１４とが共存している。なお、端末装置は、接続先のアクセスポイントと同じ電力でデータパケットを送信する。
【００２６】
アクセスポイント１０〜１２，１５〜２１の各々は、電力制御装置６０から送信電力を受け、その受けた送信電力を用いてＷｉＦｉの無線インターフェースによって端末装置と無線通信を行うとともに、ネットワーク４０を介して監視サーバ５０および電力制御装置６０と通信を行う。
【００２７】
また、アクセスポイント１３，１４の各々は、最大の送信電力を用いてＷｉＦｉの無線インターフェースによって端末装置と無線通信を行う。アクセスポイント１３，１４の各々は、ネットワーク４０を介して監視サーバ５０および電力制御装置６０へ各種の情報を送信せず、ネットワーク４０を介して電力制御装置６０から各種の情報を受信もしない。
【００２８】
更に、アクセスポイント１０〜２１の各々は、無線通信によってビーコンフレームを定期的に送信する。この場合、アクセスポイント１０〜１２，１５〜２１は、送信電力を制御できるか否かを表すｃａｎＴＰＣｆｌａｇと、送信電力を制御するか否かを表すｄｏＴＰＣｆｌａｇと、使用すべき送信電力値ＰＮと、スロット長と、チャネル使用率とからなるＴＰＣＩＥをビーコンフレームＢｅａｃｏｎに追加して送信する。一方、アクセスポイント１３，１４は、ＴＰＣＩＥをビーコンフレームＢｅａｃｏｎに追加せずに、通常のビーコンフレームＢｅａｃｏｎを送信する。
【００２９】
そして、アクセスポイント１０〜１２，１５〜２１の各々は、他のアクセスポイントから送信されたビーコンフレームＢｅａｃｏｎを受信することによって自己に隣接するアクセスポイントを定期的に検出し、後述する隣接アクセスポイントリストを作成する。
【００３０】
更に、アクセスポイント１０〜１２，１５〜２１の各々は、インフラストラクチャモードで自己に接続している端末装置を定期的に検出し、後述する端末リストを作成する。
【００３１】
更に、アクセスポイント１０〜１２，１５〜２１の各々は、ｄｏＴＰＣｆｌａｇを“ＯＮ”にするか“ＯＦＦ”にするかを決定する。より具体的には、アクセスポイント１０〜１２，１５〜２１の各々は、送信電力を制御できない端末装置が自己に接続して来る（ａｓｓｏｃｉａｔｉｏｎ  ｒｅｑｕｅｓｔの中にｃａｎＴＰＣｆｌａｇが含まれていない、またはｃａｎＴＰＣｆｌａｇがＯＦＦである）と、ｄｏＴＰＣｆｌａｇを“ＯＦＦ”に設定し、送信電力を制御できる端末装置のみが自己に接続して来ると、ｄｏＴＰＣｆｌａｇを“ＯＮ”に設定する。
【００３２】
そうすると、アクセスポイント１０〜１２，１５〜２１の各々は、自己のＭＡＣ（Ｍｅｄｉａ  Ａｃｃｅｓｓ  Ｃｏｎｔｒｏｌ）アドレス、自己の通信範囲内で使用されるチャネルのＩＤ、隣接アクセスポイントリスト（ＭＡＣアドレス＋ｄｏＴＰＣｆｌａｇ＋ビーコン受信ＲＳＳＩ）、端末リスト（ＭＡＣアドレス＋ビーコン受信ＲＳＳＩ）およびｄｏＴＰＣｆｌａｇを監視サーバ５０へ定期的に送信する。
【００３３】
ネットワーク４０は、例えば、インターネットからなる。
【００３４】
監視サーバ５０は、ネットワーク４０に接続される。そして、監視サーバ５０は、端末装置１〜９のうち、送信電力を制御できる端末装置から隣接アクセスポイントリストをネットワーク４０を介して定期的に受信するとともに、アクセスポイント１０〜１２，１５〜２１の各々から各アクセスポイント１０〜１２，１５〜２１のＭＡＣアドレス、各アクセスポイント１０〜１２，１５〜２１の通信範囲内で使用されるチャネルのＩＤ、隣接アクセスポイントリスト（ＭＡＣアドレス＋ｄｏＴＰＣｆｌａｇ＋ビーコン受信ＲＳＳＩ）、端末リスト（ＭＡＣアドレス＋ビーコン受信ＲＳＳＩ）およびｄｏＴＰＣｆｌａｇをネットワーク４０を介して定期的に受信し、その受信した各アクセスポイント１０〜１２，１５〜２１のＭＡＣアドレス、各アクセスポイント１０〜１２，１５〜２１の通信範囲内で使用されるチャネルのＩＤ、隣接アクセスポイントリスト（ＭＡＣアドレス＋ｄｏＴＰＣｆｌａｇ＋ビーコン受信ＲＳＳＩ）、端末リスト（ＭＡＣアドレス＋ビーコン受信ＲＳＳＩ）およびｄｏＴＰＣｆｌａｇを管理する。
【００３５】
電力制御装置６０は、ネットワーク４０に接続される。そして、電力制御装置６０は、ネットワーク４０を介して監視サーバ５０から各アクセスポイント１０〜１２，１５〜２１のＭＡＣアドレス、各アクセスポイント１０〜１２，１５〜２１の通信範囲内で使用されるチャネルのＩＤ、隣接アクセスポイントリスト（ＭＡＣアドレス＋ｄｏＴＰＣｆｌａｇ＋ビーコン受信ＲＳＳＩ）、端末リスト（ＭＡＣアドレス＋ビーコン受信ＲＳＳＩ）およびｄｏＴＰＣｆｌａｇを定期的に取得する。その後、電力制御装置６０は、その取得した隣接アクセスポイントリストおよび端末リストに含まれるアクセスポイント間のリンク品質およびアクセスポイントと端末装置との間のリンク品質とに基づいて、後述する方法によって、同一チャネルを共有するアクセスポイント１０〜１２，１５〜２１の各々のローカルネットワーク内で使用する送信電力を決定する。
【００３６】
引き続いて、電力制御装置６０は、各アクセスポイント１０〜１２，１５〜２１のローカルネットワーク内で使用する送信電力を後述する方法によって調整する。
【００３７】
また、電力制御装置６０は、アクセスポイント１０〜１２，１５〜２１の中から、アクセスポイント１３，１４を制御する制御アクセスポイントを決定する。
【００３８】
更に、電力制御装置６０は、送信電力を制御するアクセスポイント１０〜１２，１５〜２１がチャネルを使用する割合であるチャネル使用率を後述する方法によって算出する。
【００３９】
そうすると、電力制御装置６０は、スロット長、各アクセスポイント１０〜１２，１５〜２１のローカルネットワーク内で使用する調整後の送信電力、制御アクセスポイントであるか否かを示すｄｏＣｈＣｔｒｌ、制御対象であるアクセスポイントのセット（ｍｏｎｉｔｏｒＮｏＴｐｃＡｐＳｅｔ）およびアクセスポイント１０〜１２，１５〜２１のチャネル使用率をアクセスポイント１０〜１２，１５〜２１へ送信する。
【００４０】
なお、送信電力を制御しないアクセスポイント１３，１４は、次の場合からなる。
【００４１】
（１）アクセスポイント１３，１４が送信電力を制御できないアクセスポイントである場合
（２）アクセスポイント１３，１４が送信電力を制御できるアクセスポイントであるが、アクセスポイント１３，１４に接続してくる端末装置が送信電力を制御できない端末装置である場合
そして、（１）の場合、アクセスポイント１３，１４に接続してくる端末装置が送信電力を制御できない端末装置である場合と、アクセスポイント１３，１４に接続してくる端末装置が送信電力を制御できるが送信電力を制御しない端末装置である場合との両方が含まれる。
【００４２】
従って、アクセスポイント１３，１４は、送信電力を制御できない端末装置、または送信電力を制御可能であるが送信電力を制御しない端末装置と無線通信を行う。
【００４３】
また、この発明の実施の形態においては、送信電力を制御するアクセスポイント１０〜１２，１５〜２１と、アクセスポイント１０〜１２，１５〜２１の通信範囲内に存在する端末装置との間で同期を取る。
【００４４】
より具体的には、アクセスポイント１０〜１２，１５〜２１が同じイーサネット（登録商標）に接続される場合、アクセスポイント１０〜１２，１５〜２１は、ＩＥＥＥ１５８８（Ｐｒｅｃｉｓｉｏｎ  Ｔｉｍｅ  Ｐｒｏｔｏｃｏｌ）を用いて、μｓｅｃオーダーの同期を取ることができる。送信電力を制御可能な端末装置は、接続先の送信電力を制御するアクセスポイントからビーコンフレームＢｅａｃｏｎを受信することによって、そのアクセスポイントと同期を取れる。
【００４５】
従って、この発明の実施の形態においては、送信電力を制御するアクセスポイント１０〜１２，１５〜２１と、アクセスポイント１０〜１２，１５〜２１の通信範囲内に存在する端末装置との間で同期を取る。
【００４６】
アクセスポイントと端末装置は、ＷｉＦｉのＭＡＣプロトコルを用いて送受信を行い、Ｎｅｔｗｏｒｋ  Ａｌｌｏｃａｔｉｏｎ  Ｖｅｃｔｏｒ（ＮＡＶ）という仮想キャリアセンスメカニズム（ｖｉｒｔｕａｌ  ｃａｒｒｉｅｒ  ｓｅｎｓｅ  ｍｅｃｈａｎｉｓｍ）でチャネルを予約できる。具体的には、アクセスポイントまたは端末装置は、予約しようとするチャネルの長さを現在の送信フレームのｄｕｒａｔｉｏｎ（後述する図１２を参照）に設定し、そのフレームを送信する。隣接するアクセスポイントと端末装置は、そのフレームを受信すると、受信フレームのｄｕｒａｔｉｏｎを用いて、受信時点から長さがｄｕｒａｔｉｏｎの間のチャネルが他の無線装置によって予約されたことがわかり、その間に自端末からの送信を抑える。この発明は、送信電力を制御できない既存無線装置を変更せず、このＮＡＶメカニズムを用いて、送信電力を制御する無線装置での制御によって送信電力を制御する（ｄｏＴＰＣ）時間帯と送信電力を制御しない（ｎｏＴＰＣ）時間帯とにチャネルを分け、ｄｏＴＰＣ時間帯において送信電力制御を行う。
【００４７】
図２は、図１に示す端末装置１の構成図である。図２を参照して、端末装置１は、アンテナ１０１と、無線インターフェース１０２と、通信手段１０３と、アプリケーションモジュール１０４とを含む。
【００４８】
無線インターフェース１０２は、ＷｉＦｉの無線通信方式によって無線通信を行う。また、無線インターフェース１０２は、アクセスポイント（アクセスポイント１０〜２１のいずれか）からビーコンフレームまたはデータパケットを受信し、そのビーコンフレームまたはデータフレームを受信したときの受信信号強度を検出する。そして、無線インターフェース１０２は、その検出した受信信号強度を通信手段１０３へ出力する。
【００４９】
更に、端末装置１が送信電力を制御できる場合、無線インターフェース１０２は、アクセスポイント（アクセスポイント１０〜２１のいずれか）からデータパケットの送信電力、スロット長、およびチャネル使用率を含むビーコンフレームを受信し、その受信したビーコンフレームから送信電力、スロット長、およびチャネル使用率を取り出し、通信手段１０３へ出力する。
【００５０】
そして、無線インターフェース１０２は、インフラストラクチャモードでアクセスポイント（アクセスポイント１０〜２１のいずれか）に接続し、アクセスポイント（アクセスポイント１０〜２１のいずれか）との間でデータパケットを送受信する。
【００５１】
即ち、無線インターフェース１０２は、通信手段１０３から受けたデータパケットと送信電力とをアンテナ１０１を介してアクセスポイント（アクセスポイント１０〜２１のいずれか）へ送信する。また、無線インターフェース１０２は、アンテナ１０１を介してデータパケットをアクセスポイント（アクセスポイント１０〜２１のいずれか）から受信し、その受信したパケットを通信手段１０３へ出力する。
【００５２】
通信手段１０３は、通信システム１００における最大の送信電力（各アクセスポイント１０〜２１がビーコンフレームを送信するときの送信電力）を予め保持している。端末装置１が送信電力を制御できる場合、通信手段１０３は、無線インターフェース１０２から受信した送信電力、スロット長、およびチャネル使用率も保持する。そして、通信手段１０３は、チャネル使用率およびスロット長に基づいて、送信電力を制御するｄｏＴＰＣ時間帯と、送信電力を制御しないｎｏＴＰＣ時間帯とを算出する。通信手段１０３は、ｄｏＴＰＣ時間帯において、データパケットと送信電力を無線インターフェース１０２へ出力する。また、通信手段１０３は、ｎｏＴＰＣ時間帯において自端末でのＮＡＶを設定して自端末からの送信を抑える。端末装置１が送信電力を制御できない場合、通信手段１０３は、自端末のＮＡＶが設定されていなければ、データパケットと最大の送信電力Ｐａｍｘとを無線インターフェース１０２へ出力する。
【００５３】
また、通信手段１０３は、無線インターフェース１０２から受信信号強度を受ける。そして、通信手段１０３は、最大の送信電力および受信信号強度に基づいて、後述する方法によって、ビーコンフレームを受信するときのビーコン受信ＲＳＳＩを算出する。
【００５４】
そうすると、端末装置１が送信電力を制御できる場合、通信手段１０３は、端末装置１のＭＡＣアドレス、ビーコンの送信元のアクセスポイントのＭＡＣアドレス、ビーコンの送信元のアクセスポイントのｄｏＴＰＣｆｌａｇ、ビーコン受信ＲＳＳＩおよび無線インターフェース１０２が使用するチャネルのＩＤを含む隣接アクセスポイントリストＡＰＬＭＮを作成し、その作成した隣接アクセスポイントリストＡＰＬＭＮを無線インターフェース１０２を介して監視サーバ５０へ送信する。
【００５５】
更に、通信手段１０３は、アプリケーションモジュール１０４からパケットを受け、その受けたパケットを無線インターフェース１０２を用いて送信する。
【００５６】
更に、通信手段１０３は、無線インターフェース１０２からパケットを受け、その受けたパケットをアプリケーションモジュール１０４へ出力する。
【００５７】
アプリケーションモジュール１０４は、パケットを生成して通信手段１０３へ出力するとともに、通信手段１０３からパケットを受ける。
【００５８】
なお、図１に示す端末装置２〜９の各々も、図２に示す端末装置１と同じ構成からなる。
【００５９】
図３は、図１に示すアクセスポイント１０の構成図である。図３を参照して、アクセスポイント１０は、アンテナ１１１と、無線インターフェース１１２と、通信手段１１３と、有線インターフェース１１４とを含む。
【００６０】
無線インターフェース１１２は、ＷｉＦｉの無線通信方式によって無線通信を行う。そして、無線インターフェース１１２は、通信手段１１３からデータパケットを受け、その受けたデータパケットを通信手段１１３から受けた送信電力でアンテナ１１１を介して送信する。また、無線インターフェース１１２は、アンテナ１１１を介してデータパケットを受信し、その受信したデータパケットを通信手段１１３へ出力する。
【００６１】
通信手段１１３は、ビーコンフレームを定期的に生成し、その生成したビーコンフレームを無線インターフェース１１２を介して端末装置（端末装置１〜９の少なくとも１つ）へ送信する。
【００６２】
この場合、アクセスポイント１０が送信電力を制御できれば、通信手段１１３は、送信電力を制御できることを表すｃａｎＴＰＣｆｌａｇと、送信電力を制御するか否かを表すｄｏＴＰＣｆｌａｇと、使用すべき送信電力値ＰＮと、スロット長と、チャネル使用率とからなるＴＰＣＩＥをビーコンフレームＢｅａｃｏｎに追加して送信する。
【００６３】
送信電力を制御可能であるアクセスポイント１０の通信手段１１３は、最初、ｄｏＴＰＣｆｌａｇをＯＮに設定したｄｏＴＰＣｆｌａｇ＝ＯＮをビーコンフレームに含めて送信する。そして、通信手段１１３は、送信電力を制御できない端末装置がｃａｎＴＰＣを含まないａｓｓｏｃｉａｔｉｏｎ  ｒｅｑｕｅｓｔで接続してくると、その端末装置のｃａｎＴＰＣをＯＦＦとし、ｄｏＴＰＣｆｌａｇをＯＦＦに設定したｄｏＴＰＣｆｌａｇ＝ＯＦＦをビーコンフレームに含めて送信する。最終的に、通信手段１１３は、ｃａｎＴＰＣをＯＦＦに設定した全ての端末装置がアクセスポイント１０の通信範囲内から消えると、ｄｏＴＰＣｆｌａｇをＯＮに設定し、ｃａｎＴＰＣをＯＦＦに設定した少なくとも１個の端末装置がアクセスポイント１０の通信範囲内に存在するとき、ｄｏＴＰＣｆｌａｇをＯＦＦに設定する。
【００６４】
更に、アクセスポイント１０が送信電力を制御できる場合、通信手段１１３は、端末リストＴＬと、隣接アクセスポイントリストＡＰＬＡＰとを作成する。端末リストＴＬは、アクセスポイント１０にアクセスする端末装置のＭＡＣアドレスと、ビーコン受信ＲＳＳＩとからなる。また、隣接アクセスポイントリストＡＰＬＡＰは、アクセスポイント１０に隣接するアクセスポイントのＭＡＣアドレスと、ｄｏＴＰＣｆｌａｇと、ビーコン受信ＲＳＳＩとからなる。
【００６５】
そうすると、アクセスポイント１０が送信電力を制御できる場合、通信手段１１３は、アクセスポイント１０のＭＡＣアドレスと、無線インターフェース１１２が使用するチャネルのＩＤと、端末リストＴＬと、隣接アクセスポイントリストＡＰＬＡＰと、ｄｏＴＰＣｆｌａｇとを有線インターフェース１１４を介して監視サーバ５０へ送信する。
【００６６】
更に、アクセスポイント１０が送信電力を制御できる場合、通信手段１１３は、アクセスポイント１０のローカルネットワーク内で使用する送信電力、送信電力を制御するアクセスポイントのチャネル使用率、スロット長、制御アクセスポイント、および制御対象のアクセスポイントを有線インターフェース１１４を介して電力制御装置６０から受信する。
【００６７】
そして、アクセスポイント１０が送信電力を制御できる場合、通信手段１１３は、その受信した送信電力を無線インターフェース１１２に設定するとともに、その受信した送信電力、スロット長、チャネル使用率、ｃａｎＴＰＣｆｌａｇ、およびｄｏＴＰＣｆｌａｇと共に、ビーコンフレームのＴＰＣＩＥに含めて端末装置（端末装置１〜９の少なくとも１つ）へ送信する。
【００６８】
また、通信手段１１３は、チャネル使用率およびスロット長に基づいて、送信電力を制御するアクセスポイント１０〜１２，１５〜２１がデータパケットを送信するｄｏＴＰＣ時間帯（＝スロット長×チャネル使用率）と、送信電力を制御しないアクセスポイント１３，１４がデータパケットを送信するｎｏＴＰＣ時間帯（＝スロット長×（１−チャネル使用率））とをスロット毎に算出する。そして、通信手段１１３は、アクセスポイント１０が制御アクセスポイントである場合、ＳＡＭ（Ｓｌｏｔ  Ａｌｌｏｃａｔｉｏｎ  Ｍｅｓｓａｇｅ）を生成し、ｄｏＴＰＣ時間帯の長さをＳＡＭのｄｕｒａｔｉｏｎに設定してＳＡＭを無線インターフェース１１２を介してブロードキャストする。
【００６９】
更に、通信手段１１３は、無線インターフェース１１２を介してＳＡＭを受信する。ｄｏＴＰＣがＯＮであるアクセスポイントは、このＳＡＭを受信する場合、自端末のＮＡＶを設定しない。他のアクセスポイントは、ＳＡＭを受信する時点で、自端末におけるＮＡＶを設定する。そして、通信手段１１３は、アクセスポイント１０が送信電力を制御するアクセスポイントであるとき、ｄｏＴＰＣ時間帯において、データパケットを無線インターフェース１１２を介して端末装置へ送信する。また、通信手段１１３は、アクセスポイント１０が送信電力を制御しないアクセスポイントであるとき、ｎｏＴＰＣ時間帯において、データパケットを無線インターフェース１１２を介して端末装置へ送信する。
【００７０】
なお、アクセスポイント１０が送信電力を制御しないアクセスポイントである場合、通信手段１１３は、有線インターフェース１１４を介して電力制御装置６０から送信電力を受信しないので、通信システム１００における最大の送信電力を無線インターフェース１１２へ設定する。
【００７１】
有線インターフェース１１４は、通信手段１１３からパケットを受け、その受けたパケットをネットワーク４０を介して監視サーバ５０へ送信する。
【００７２】
また、有線インターフェース１１４は、ネットワーク４０を介して電力制御装置６０から送信電力、スロット長、チャネル使用率、制御アクセスポイント、および制御対象のアクセスポイントを受信し、その受信した送信電力、スロット長、チャネル使用率、制御アクセスポイント、および制御対象のアクセスポイントを通信手段１１３へ出力する。
【００７３】
なお、図１に示すアクセスポイント１１〜２１の各々も、図３に示すアクセスポイント１０と同じ構成からなる。
【００７４】
図４は、図１に示す電力制御装置６０の構成図である。図４を参照して、電力制御装置６０は、有線インターフェース６１と、通信手段６２と、決定手段６３と、調整手段６４とを含む。
【００７５】
有線インターフェース６１は、ネットワーク４０を介してパケットを受信し、その受信したパケットを通信手段６２へ出力する。
【００７６】
また、有線インターフェース６１は、通信手段６２からパケットを受け、その受けたパケットを送信する。
【００７７】
通信手段６２は、有線インターフェース６１を介して監視サーバ５０から端末リストＴＬおよび隣接アクセスポイントリストＡＰＬＭＮ，ＡＰＬＡＰを定期的に取得する。そして、通信手段６２は、その取得した端末リストＴＬおよび隣接アクセスポイントリストＡＰＬＭＮ，ＡＰＬＡＰを決定手段６３および調整手段６４へ出力する。
【００７８】
また、通信手段６２は、スロット長、チャネル使用率、制御アクセスポイント、および制御対象のアクセスポイントを決定手段６３から受け、調整後の送信電力を調整手段６４から受け、その受けたスロット長、チャネル使用率、制御アクセスポイント、制御対象のアクセスポイント、および送信電力を有線インターフェース６１を介してアクセスポイント１０〜１２，１５〜２１へ送信する。
【００７９】
決定手段６３は、端末リストＴＬおよび隣接アクセスポイントリストＡＰＬＭＮ，ＡＰＬＡＰを通信手段６２から受け、その受けた端末リストＴＬおよび隣接アクセスポイントリストＡＰＬＭＮ，ＡＰＬＡＰに基づいて、後述する方法によって、各アクセスポイント１０〜１２，１５〜２１のローカルネットワーク内で使用する送信電力を決定する。そして、決定手段６３は、その決定したアクセスポイント１０〜１２，１５〜２１の１０個の送信電力を調整手段６４へ出力する。
【００８０】
また、決定手段６３は、送信電力を制御するアクセスポイント１０〜１２，１５〜２１のチャネル使用率を後述する方法によって決定するとともに、送信電力を制御しないアクセスポイントを制御する制御アクセスポイント、および制御アクセスポイントの制御対象のアクセスポイントを後述する方法によって決定し、通信手段６２へ出力する。
【００８１】
そして、通信手段６２は、スロット長、チャネル使用率、送信電力、制御アクセスポイント、および制御対象のアクセスポイントを有線インターフェース６１を介してアクセスポイント１０〜１２，１５〜２１へ送信する。
【００８２】
調整手段６４は、端末リストＴＬおよび隣接アクセスポイントリストＡＰＬＭＮ，ＡＰＬＡＰを通信手段６２から受け、アクセスポイント１０〜１２，１５〜２１の１０個の送信電力を決定手段６３から受ける。
【００８３】
そして、調整手段６４は、端末リストＴＬ、隣接アクセスポイントリストＡＰＬＭＮ，ＡＰＬＡＰおよびアクセスポイント１０〜１２，１５〜２１の１０個の送信電力に基づいて、後述する方法によって、アクセスポイント１０〜１２，１５〜２１の１０個の送信電力を調整し、その調整後の１０個の送信電力を通信手段６２へ出力する。通信手段６２は、調整後の１０個の送信電力を有線インターフェース６１を介してアクセスポイント１０〜１２，１５〜２１へ送信する。
【００８４】
この発明の実施の形態における用語の定義について説明する。
【００８５】
［パスロスおよびビーコン受信ＲＳＳＩの算出］
端末装置１〜９のうち、送信電力を制御できる端末装置は、アクセスポイント（アクセスポイント１０〜２１のいずれか）からフレームを受信するとき、以下の手順に従ってパスロス（ＰＬ：Ｐａｔｈ  Ｌｏｓｓ）を算出する。
【００８６】
また、アクセスポイント１０〜１２，１５〜２１の各々は、他のアクセスポイントまたは端末装置（端末装置１〜９のいずれか）からフレームを受信するとき、以下の手順に従ってＰＬを算出する。なお、送信電力およびＲＳＳＩは、ｄＢｍ単位で算出され、ＰＬは、ｄＢ単位で算出される。
【００８７】
（１）端末装置１〜９のうち、送信電力を制御できる端末装置またはアクセスポイント１０〜１２，１５〜２１の各々は、受信フレームがビーコンフレーム等の制御フレームまたはそれに応答するＡＣＫであるとき、ＰＬ＝ビーコン送信電力−受信ＲＳＳＩによってＰＬを算出する。なお、受信ＲＳＳＩは、制御フレームまたはＡＣＫを受信したときの受信信号強度である。また、ビーコン送信電力は、通信ネットワークシステム１００において、予め設定されている最大送信電力である。
【００８８】
（２）端末装置１〜９のうち、送信電力を制御できる端末装置またはアクセスポイント１０〜１２，１５〜２１の各々は、受信フレームがデータフレームまたはそれに応答するＡＣＫであるとき、ＰＬ＝データ送信電力−受信ＲＳＳＩによってＰＬを算出する。なお、受信ＲＳＳＩは、データフレームまたはＡＣＫを受信したときの受信信号強度である。
【００８９】
（３）端末装置１〜９のうち、送信電力を制御できる端末装置またはアクセスポイント１０〜１２，１５〜２１の各々は、フェージング等の影響を無くすために、次式によってＰＬの平均値を算出する。
【００９０】
newPL平均値＝oldPL平均値×α＋newPL値×（１−α）・・・（１）
なお、式（１）において、αは、例えば、０．９である。また、式（１）を用いて算出されるＰＬの平均値は、２番目以降の平均値である。
【００９１】
そして、端末装置１〜９のうち、送信電力を制御できる端末装置またはアクセスポイント１０〜１２，１５〜２１の各々は、ビーコン受信ＲＳＳＩ＝ビーコン送信電力−ＰＬ平均値によってビーコン受信ＲＳＳＩを算出する。
【００９２】
［隣接アクセスポイントの種類］
隣接アクセスポイントは、直接隣接（Ｄｉｒｅｃｔ  ｎｅｉｇｈｂｏｒ）のアクセスポイントと、間接隣接（Ｉｎｄｉｒｅｃｔ  ｎｅｉｇｈｂｏｒ）のアクセスポイントとからなる。
【００９３】
直接隣接（Ｄｉｒｅｃｔ  ｎｅｉｇｈｂｏｒ）のアクセスポイントは、同じチャネル上で動作し、互いにビーコンフレームを直接受信できる２つのアクセスポイントである。
【００９４】
また、間接隣接（Ｉｎｄｉｒｅｃｔ  ｎｅｉｇｈｂｏｒ）のアクセスポイントは、同じチャネル上で動作し、共通の端末装置によって繋がっている２つのアクセスポイントである。
【００９５】
図５は、直接隣接のアクセスポイントおよび間接隣接のアクセスポイントの概念図である。
【００９６】
図５の（ａ）を参照して、監視サーバ５０は、アクセスポイント１０から収集した隣接アクセスポイントリストＡＰＬＡＰ１＝［ＭＡＣａｄｄ１１／ｄｏＴＰＣｆｌａｇ１１／ビーコン受信ＲＳＳＩ１］およびチャネルＩＤ＝ＣＨ１と、アクセスポイント１１から収集した隣接アクセスポイントリストＡＰＬＡＰ２＝［ＭＡＣａｄｄ１０／ｄｏＴＰＣｆｌａｇ１０／ビーコン受信ＲＳＳＩ２］およびチャネルＩＤ＝ＣＨ１とに基づいて、アクセスポイント１０，１１が同じチャネルＣＨ１上で動作し、かつ、お互いのビーコンフレームを直接受信できるアクセスポイントであることを検知し、アクセスポイント１０，１１を直接隣接のアクセスポイントとする。
【００９７】
図５の（ｂ）を参照して、端末装置１は、アクセスポイント１０に接続しているとする。端末装置１は、アクセスポイント１０からビーコンフレームを受信することによってアクセスポイント１０のｄｏＴＰＣｆｌａｇ１０を知り、アクセスポイント１０を隣接アクセスポイントとして検知し、上述した方法によってビーコン受信ＲＳＳＩ３を算出する。
【００９８】
また、端末装置１は、アクセスポイント１１からビーコンフレームを受信することによってアクセスポイント１１のｄｏＴＰＣｆｌａｇ１１を知り、アクセスポイント１１を隣接アクセスポイントとして検知し、上述した方法によってビーコン受信ＲＳＳＩ４を算出する。
【００９９】
そして、端末装置１は、隣接アクセスポイントリストＡＰＬＭＮ１＝［ＭＡＣａｄｄ１０，ＭＡＣａｄｄ１１／ｄｏＴＰＣｆｌａｇ１０，ｄｏＴＰＣｆｌａｇ１１／チャネルＩＤ＝ＣＨ１／ビーコン受信ＲＳＳＩ３，ビーコン受信ＲＳＳＩ４］を定期的に生成して監視サーバ５０へ送信する。
【０１００】
一方、アクセスポイント１０は、自己のＭＡＣアドレスＭＡＣａｄｄ１０、自己のチャネルＩＤ＝ＣＨ１、自己の端末リストＴＬ１＝［ＭＡＣａｄｄ１／ビーコン受信ＲＳＳＩ５］および自己の隣接アクセスポイントリストＡＰＬＡＰ３＝［―――／―――／―――］を監視サーバ５０へ送信する。
【０１０１】
また、アクセスポイント１１は、自己のＭＡＣアドレスＭＡＣａｄｄ１１、自己のチャネルＩＤ＝ＣＨ１、自己の端末リストＴＬ２＝［―――／―――］および自己の隣接アクセスポイントリストＡＰＬＡＰ４＝［―――／―――／―――］を監視サーバ５０へ送信する。
【０１０２】
この場合、アクセスポイント１０，１１は、ビーコンフレームを相互に直接受信できないので、隣接アクセスポイントリストＡＰＬＡＰ３，ＡＰＬＡＰ４にデータを含めないで隣接アクセスポイントリストＡＰＬＡＰ３，ＡＰＬＡＰ４を監視サーバ５０へ送信する。
【０１０３】
そうすると、監視サーバ５０は、端末装置１から受信した隣接アクセスポイントリストＡＰＬＭＮ１＝［ＭＡＣａｄｄ１０，ＭＡＣａｄｄ１１／ｄｏＴＰＣｆｌａｇ１０，ｄｏＴＰＣｆｌａｇ１１／チャネルＩＤ＝ＣＨ１／ビーコン受信ＲＳＳＩ３，ビーコン受信ＲＳＳＩ４］と、アクセスポイント１０から受信したＭＡＣアドレスＭＡＣａｄｄ１０、チャネルＩＤ＝ＣＨ１、端末リストＴＬ１＝［ＭＡＣａｄｄ１／ビーコン受信ＲＳＳＩ５］および隣接アクセスポイントリストＡＰＬＡＰ３＝［―――／―――／―――］と、アクセスポイント１１から受信したＭＡＣアドレスＭＡＣａｄｄ１１、チャネルＩＤ＝ＣＨ１、端末リストＴＬ２＝［―――／―――］および自己の隣接アクセスポイントリストＡＰＬＡＰ４＝［―――／―――／―――］とに基づいて、アクセスポイント１０，１１が同じチャネル上で動作し、かつ、端末装置１を介して繋がっていることを検知する。そして、監視サーバ５０は、アクセスポイント１０，１１を間接隣接のアクセスポイントとする。
【０１０４】
［ＣＳＧ（Ｃｏｎｎｅｃｔｅｄ  ｓｕｂ  ｇｒａｐｈ）］
ＣＳＧは、上述した定義に従って隣接アクセスポイントと判定されたアクセスポイント同士の接続関係を示すグラフである。
【０１０５】
なお、ＣＳＧは、直接隣接のアクセスポイントのみからなる場合もあり、直接隣接のアクセスポイントと間接隣接のアクセスポイントとからなる場合もある。
【０１０６】
各アクセスポイント１０〜１２，１５〜２１は、端末装置（端末装置１〜９のいずれか）からのａｓｓｏｃｉａｔｉｏｎ  ｒｅｑｕｅｓｔによって端末リストＴＬを作成して管理する。各アクセスポイント１０〜１２，１５〜２１は、端末装置（端末装置１〜９のいずれか）からフレームを受信することによって、上述した方法によってビーコン受信ＲＳＳＩを算出する。
【０１０７】
また、各アクセスポイント１０〜１２，１５〜２１は、他のアクセスポイントからビーコンフレームを受信することによって隣接するアクセスポイントを検知し、上述した方法によってビーコン受信ＲＳＳＩを算出する。ＴＰＣＩＥが含まれていないビーコンを受信する場合、送信元のアクセスポイントのｄｏＴＰＣｆｌａｇをＯＦＦとする。そして、各アクセスポイント１０〜１２，１５〜２１は、自己の端末リストＴＬ（＝自己に接続する端末装置のＭＡＣアドレスおよびビーコン受信ＲＳＳＩ）と、隣接アクセスポイントリストＡＰＬＡＰ（＝自己に隣接するアクセスポイントのＭＡＣアドレス、ｄｏＴＰＣｆｌａｇおよびビーコン受信ＲＳＳＩ）とを監視サーバ５０へ定期的に送信する。
【０１０８】
一方、各端末装置１〜９のうち、送信電力を制御できる端末装置は、アクセスポイント（アクセスポイント１０〜２１のいずれか）からビーコンフレームを受信することによって隣接するアクセスポイントを検知する。ＴＰＣＩＥが含まれていないビーコンを受信する場合、送信元のアクセスポイントのｄｏＴＰＣｆｌａｇをＯＦＦとする。そして、各端末装置１〜９のうち、送信電力を制御できる端末装置は、自己の隣接アクセスポイントリストＡＰＬＭＮ（＝自己に隣接するアクセスポイントのＭＡＣアドレス、ｄｏＴＰＣｆｌａｇ、チャネルＩＤおよびビーコン受信ＲＳＳＩ）を監視サーバ５０へ定期的に送信する。
【０１０９】
電力制御装置６０は、各アクセスポイント１０〜１２，１５〜２１の隣接アクセスポイントリストＡＰＬＡＰ（＝各アクセスポイント１０〜２１に隣接するアクセスポイントのＭＡＣアドレス、ｄｏＴＰＣｆｌａｇ、およびビーコン受信ＲＳＳＩ）および各端末装置１〜９の隣接アクセスポイントリストＡＰＬＭＮ（＝各端末装置１〜９に隣接するアクセスポイントのＭＡＣアドレス、チャネルＩＤ、ｄｏＴＰＣｆｌａｇ、およびビーコン受信ＲＳＳＩ）を監視サーバ５０から定期的に取得する。
【０１１０】
そして、電力制御装置６０は、各アクセスポイント１０〜１２，１５〜２１の隣接アクセスポイントリストＡＰＬＡＰ（＝各アクセスポイント１０〜１２，１５〜２１に隣接するアクセスポイントのＭＡＣアドレス、ｄｏＴＰＣｆｌａｇ、およびビーコン受信ＲＳＳＩ）および各端末装置１〜９の隣接アクセスポイントリストＡＰＬＭＮ（＝各端末装置１〜９に隣接するアクセスポイントのＭＡＣアドレス、ｄｏＴＰＣｆｌａｇ、チャネルＩＤおよびビーコン受信ＲＳＳＩ）に基づいて、後述する方法によって、ＣＳＧを構築および分割する。
【０１１１】
［送信電力の算出］
１０個のアクセスポイント１０〜１２，１５〜２１によって形成される１０個のローカルネットワークにおける送信電力を算出する方法について説明する。
【０１１２】
電力制御装置６０の通信手段６２は、送信電力を制御するアクセスポイント１０〜１２，１５〜２１の端末リストＴＬと隣接アクセスポイントリストＡＰＬＡＰとを有線インターフェース６１を介して監視サーバ５０から取得し、その取得した端末リストＴＬおよび隣接アクセスポイントリストＡＰＬＡＰを決定手段６３へ出力する。
【０１１３】
電力制御装置６０の決定手段６３は、ＲＳＳＩと送信レートとの関係を示すテーブルＴＢＬを予め保持している。そして、電力制御装置６０の決定手段６３は、テーブルＴＢＬを参照して、最小の送信レートを満足できる最小のＲＳＳＩ（＝ＲＳＳＩｍｉｎｒａｔｅ）を検出する。
【０１１４】
そして、電力制御装置６０の決定手段６３は、端末リストＴＬにおける端末装置毎にビーコン受信ＲＳＳＩの平均値（＝ＲＳＳＩｂｅａｃｏｎ）を取り出す。その後、電力制御装置６０の決定手段６３は、予め保持しているビーコン送信電力（＝最大送信電力）Ｐｂｅａｃｏｎと、ビーコン受信ＲＳＳＩの平均値（＝ＲＳＳＩｂｅａｃｏｎ）と、最小のＲＳＳＩ（＝ＲＳＳＩｍｉｎｒａｔｅ）とを次式に代入して最小送信電力Ｐｍｉｎｒａｔｅを算出する。
【０１１５】
Ｐｍｉｎｒａｔｅ＝ＲＳＳＩｍｉｎｒａｔｅ＋Ｐｂｅａｃｏｎ−ＲＳＳＩｂｅａｃｏｎ・・・（２）
アクセスポイントｊ（ｊ＝１０〜１２，１５〜２１）の通信範囲（＝データパケットの通信範囲）からなる領域をセルｊとする。そうすると、セルｊの最低送信電力は、セルｊの最低送信電力＝ｍａｘｉ｛セルｊに含まれる全ての端末装置ｉ（ｉ＝１〜９）の最低送信電力（＝Ｐｍｉｎｒａｔｅ）｝によって決定される。
【０１１６】
また、送信電力ｐは、ｐ＝セルｊの最低送信電力〜最大送信電力の範囲からなる。
【０１１７】
端末装置ｉがアクセスポイントｊからビーコンフレームを受信するときのＲＳＳＩをＲＳＳＩｉｊ（Ｐｂｅａｃｏｎ）とすると、電力制御装置６０の決定手段６３は、端末装置ｉがアクセスポイントｊから送信電力ｐで送信されたデータを受信するときのデータ受信ＲＳＳＩ（＝ＲＳＳＩｉｊ（ｐ））を次式によって算出する。
【０１１８】
ＲＳＳＩｉｊ（ｐ）＝ｐ−Ｐｂｅａｃｏｎ＋ＲＳＳＩｉｊ（Ｐｂｅａｃｏｎ）・・・（３）
そして、電力制御装置６０の決定手段６３は、テーブルＴＢＬを参照して、データ受信ＲＳＳＩ（＝ＲＳＳＩｉｊ（ｐ））に対応する送信レートｒｉｊ（ｐ）を検出する。
【０１１９】
引き続いて、電力制御装置６０の決定手段６３は、セルｊにおける１ビット当たりの送信所要時間ｔｊ（ｐ）を次式によって算出する。
【０１２０】
ｔｊ（ｐ）＝Σｉ（１／ｒｉｊ（ｐ））／（セルｊの端末装置の個数）・・・（４）
なお、送信所要時間ｔｊ（ｐ）は、平均の送信所要時間である。
【０１２１】
セルｊの周辺での最低送信電力は、セルｊの周辺での最低送信電力＝ｍａｘ｛セルｊとその隣接セルの最低送信電力（＝Ｐｍｉｎｒａｔｅ）｝によって決定される。
【０１２２】
また、送信電力ｐ’は、ｐ’＝セルｊの周辺での最低送信電力〜最大送信電力の範囲からなる。
【０１２３】
送信電力がｐ’である場合、アクセスポイントｊの同一チャネル競争のアクセスポイントリストがＮｊ（ｐ’）である。
【０１２４】
Ｎｊ（ｐ’）は、最初、空であるので、アクセスポイントｊは、Ｎｊ（ｐ’）に入れられる。
【０１２５】
アクセスポイントｊに直接隣接（ビーコンフレームを直接受信できる）し、かつ、送信電力を制御するアクセスポイントをアクセスポイントｋ（ｋ＝１０〜１２，１５〜２１，ｋ≠ｊ）とする。
【０１２６】
電力制御装置６０の決定手段６３は、アクセスポイントｋが送信電力ｐ’で送信したパケットがアクセスポイントｊへ届くときのＲＳＳＩ（＝ＲＳＳＩｋｊ（ｐ’））を次式によって算出する。
【０１２７】
ＲＳＳＩｋｊ（ｐ’）＝ｐ’−Ｐｂｅａｃｏｎ＋ＲＳＳＩｋｊ（Ｐｂｅａｃｏｎ））・・・（５）
なお、ＲＳＳＩｋｊ（Ｐｂｅａｃｏｎ）は、アクセスポイントｊがアクセスポイントｋからビーコンフレームを受信するときのビーコン受信ＲＳＳＩであり、アクセスポイントｊからの隣接アクセスポイントリストＡＰＬＡＰに含まれている。従って、電力制御装置６０の決定手段６３は、式（５）によってＲＳＳＩ（＝ＲＳＳＩｋｊ（ｐ’））を演算できる。
【０１２８】
そして、電力制御装置６０の決定手段６３は、ＲＳＳＩｋｊ（ｐ’）がアクセスポイントｊのキャリアセンス閾値よりも大きいとき、アクセスポイントｋ（＝ローカルネットワーク）をＮｊ（ｐ’）に入れる。
【０１２９】
電力制御装置６０の決定手段６３は、ＲＳＳＩｋｊ（ｐ’）の演算と、その演算したＲＳＳＩｋｊ（ｐ’）とキャリアセンス閾値との比較をアクセスポイントｊに隣接し、かつ、送信電力を制御するアクセスポイントｋの全てについて実行する。
【０１３０】
そして、電力制御装置６０の決定手段６３は、アクセスポイントｊのローカルネットワークにおけるローカルスループットγｊ（ｐ’）を次式により演算する。
【０１３１】
γｊ（ｐ’）＝１／［Σｋ∈Ｎｊ（Ｐ’）１／ｔｋ（ｐ’）］・・・（６）
なお、ｔｋ（ｐ’）は、上述した式（４）を用いて演算されたアクセスポイントｋにおけるビット当たりの送信所要時間である。
【０１３２】
また、アクセスポイントｊのローカルネットワークを第１のローカルネットワークとし、アクセスポイントｋのローカルネットワークの全てをｎ（ｎは正の整数）個の第２のローカルネットワークとしたとき、Ｎｊ（ｐ’）に入れられたアクセスポイントｋは、「ｍ（ｍは１≦ｍ≦ｎを満たす整数）個の第２のローカルネットワーク」を構成する。
【０１３３】
引き続いて、電力制御装置６０の決定手段６３は、ローカルスループットγｊ（ｐ’）が最大になる電力ｐ’をアクセスポイントｊのローカルネットワークにおける送信電力ＰＣｊとして決定する。
【０１３４】
なお、この発明の実施の形態においては、ローカルスループットとは、アクセスポイントｊに隣接するアクセスポイントｋのローカルネットワークにおける送信電力の影響を考慮したときのアクセスポイントｊのローカルネットワークにおけるスループットを言う。
【０１３５】
［ＣＳＧの構築］
電力制御装置６０の通信手段６２は、アクセスポイント１０〜１２，１５〜２１の［ＭＡＣアドレスＭＡＣａｄｄ１０／ｄｏＴＰＣｆｌａｇ１０／チャネルＩＤ＝ＣＨ１／端末リストＴＬ１０／隣接アクセスポイントリストＡＰＬＡＰ１０］〜［ＭＡＣアドレスＭＡＣａｄｄ１２／ｄｏＴＰＣｆｌａｇ１２／チャネルＩＤ＝ＣＨ１／端末リストＴＬ１２／隣接アクセスポイントリストＡＰＬＡＰ１２］，［ＭＡＣアドレスＭＡＣａｄｄ１５／ｄｏＴＰＣｆｌａｇ１５／チャネルＩＤ＝ＣＨ１／端末リストＴＬ１５／隣接アクセスポイントリストＡＰＬＡＰ１５］〜［ＭＡＣアドレスＭＡＣａｄｄ２１／ｄｏＴＰＣｆｌａｇ２１／チャネルＩＤ＝ＣＨ１／端末リストＴＬ２１／隣接アクセスポイントリストＡＰＬＡＰ２１］を監視サーバ５０から取得し、その取得した［ＭＡＣアドレスＭＡＣａｄｄ１０／ｄｏＴＰＣｆｌａｇ１０／チャネルＩＤ＝ＣＨ１／端末リストＴＬ１０／隣接アクセスポイントリストＡＰＬＡＰ１０］〜［ＭＡＣアドレスＭＡＣａｄｄ１２／ｄｏＴＰＣｆｌａｇ１２／チャネルＩＤ＝ＣＨ１／端末リストＴＬ１２／隣接アクセスポイントリストＡＰＬＡＰ１２］，［ＭＡＣアドレスＭＡＣａｄｄ１５／ｄｏＴＰＣｆｌａｇ１５／チャネルＩＤ＝ＣＨ１／端末リストＴＬ１５／隣接アクセスポイントリストＡＰＬＡＰ１５］〜［ＭＡＣアドレスＭＡＣａｄｄ２１／ｄｏＴＰＣｆｌａｇ２１チャネルＩＤ＝ＣＨ１／端末リストＴＬ２１／隣接アクセスポイントリストＡＰＬＡＰ２１］を決定手段６３へ出力する。
【０１３６】
そして、電力制御装置６０の決定手段６３は、［ＭＡＣアドレスＭＡＣａｄｄ１０／ｄｏＴＰＣｆｌａｇ１０／チャネルＩＤ＝ＣＨ１／端末リストＴＬ１０／隣接アクセスポイントリストＡＰＬＡＰ１０］〜［ＭＡＣアドレスＭＡＣａｄｄ１２／ｄｏＴＰＣｆｌａｇ１２／チャネルＩＤ＝ＣＨ１／端末リストＴＬ１２／隣接アクセスポイントリストＡＰＬＡＰ１２］，［ＭＡＣアドレスＭＡＣａｄｄ１５／ｄｏＴＰＣｆｌａｇ１５／チャネルＩＤ＝ＣＨ１／端末リストＴＬ１５／隣接アクセスポイントリストＡＰＬＡＰ１５］〜［ＭＡＣアドレスＭＡＣａｄｄ２１／ｄｏＴＰＣｆｌａｇ２１／チャネルＩＤ＝ＣＨ１／端末リストＴＬ２１／隣接アクセスポイントリストＡＰＬＡＰ２１］に基づいて、ＣＳＧを構築する。
【０１３７】
以下、ＣＳＧを構築する方法を具体的に説明する。図６は、ネイバーリストを示す図である。また、図７は、ＣＳＧの具体例を示す図である。
【０１３８】
電力制御装置６０の決定手段６３は、アクセスポイント１０〜１２，１５〜２１のチャネルＩＤ＝ＣＨ１および隣接アクセスポイントリストＡＰＬＡＰ１０〜ＡＰＬＡＰ１２，ＡＰＬＡＰ１５〜ＡＰＬＡＰ２１に基づいて、ネイバーリストＮＢＬ１（図６の（ａ）参照）を作成する。電力制御装置６０の通信手段６３は、アクセスポイント１３とアクセスポイント１４の隣接アクセスポイントリストを直接受信していない。電力制御装置６０の通信手段６３は、アクセスポイント１２の隣接アクセスポイントリストから、アクセスポイント１３がアクセスポイント１２に隣接することがわかり、そのチャネル番号とビーコン受信ＲＳＳＩもわかる。同様に、電力制御装置６０の通信手段６３は、アクセスポイント１２とアクセスポイント１５の隣接アクセスポイントリストから、アクセスポイント１４がアクセスポイント１２とアクセスポイント１５に隣接することがわかり、そのチャネル番号とビーコン受信ＲＳＳＩもわかる。この場合、ＣＳＧのＩＤは、アクセスポイント１０〜２１の全てに対して“０”に設定される。そして、電力制御装置６０の決定手段６３は、ネイバーリストＮＢＬ１に基づいてアクセスポイント１０〜２１が同じチャネルＣＨ１を共有していることを検知する。
【０１３９】
そうすると、電力制御装置６０の決定手段６３は、同じチャネルＣＨ１を共有するアクセスポイント１０〜２１に対して１つのグラフＧＲＰ（図７の（ａ）参照）を作成する。
【０１４０】
その後、電力制御装置６０の決定手段６３は、次の手順によってグラフＧＲＰを２つのＣＳＧ１，ＣＳＧ２に分ける。
【０１４１】
（Ｃ１）新しいＣＳＧｍ（ｍ＝１，２，３，・・・）を用意する。
（Ｃ２）既存のＣＳＧに入っていないアクセスポイントｊ（ＣＳＧ＝０）を選択し、ＣＳＧｍに入れる。
（Ｃ３）アクセスポイントｊに隣接するアクセスポイントもＣＳＧｍに入れる。
（Ｃ４）ＣＳＧｍに入っていないアクセスポイント（ＣＳＧ＝０）からアクセスポイントｋを選択し、上記の（Ｃ１）〜（Ｃ３）の処理を行なう。
（Ｃ５）ＣＳＧｍにおけるアクセスポイントの隣接アクセスポイントが全てＣＳＧｍに含まれると、このＣＳＧが構築される。
（Ｃ６）既存のＣＳＧに入っていないアクセスポイントが残れば、上記の（Ｃ１）〜（Ｃ５）の処理を繰り返す。
上記の（Ｃ１）〜（Ｃ６）に従ってＣＳＧの構築を具体的に説明する。
【０１４２】
電力制御装置６０の決定手段６３は、まず、アクセスポイント１０をＣＳＧ１に入れる。次に、電力制御装置６０の決定手段６３は、アクセスポイント１０に隣接するアクセスポイント１１をＣＳＧ１に入れる。同様に、電力制御装置６０の決定手段６３は、アクセスポイント１１に隣接するアクセスポイント１２をＣＳＧ１に入れ、アクセスポイント１２に隣接するアクセスポイント１３，１４，１５をＣＳＧ１に入れ、アクセスポイント１５に隣接するアクセスポイント１６，１７をＣＳＧ１に入れる。これによって、アクセスポイント１０〜１７に隣接するアクセスポイントがＣＳＧ１に含まれるので、ＣＳＧ１の構築が完了する。
【０１４３】
電力制御装置６０の決定手段６３は、同様にして、アクセスポイント１８〜２１を含むＣＳＧ２を構築する。
【０１４４】
その結果、電力制御装置６０の決定手段６３は、ネイバーリストＮＢＬ２（図６の（ｂ）参照）を作成し、ＣＳＧ１，ＣＳＧ２（図７の（ｂ）参照）を作成する。
【０１４５】
電力制御装置６０の決定手段６３は、上述した方法によってＣＳＧを構築する。そして、電力制御装置６０の調整手段６４は、構築した最終的な各ＣＳＧ毎に、１つのＣＳＧに含まれるアクセスポイントに対して、まず、送信電力を制御しないｎｏＴＰＣのＡＰをＣＳＧから除外し、残りのアクセスポイントに対して以下の方法によって送信電力を調整する。
【０１４６】
（ＡＤＪ１）降順でアクセスポイントの送信電力ＰＣをソートし、初期の送信電力ＰＮとする。
（ＡＤＪ２）ソート後のアクセスポイントのＩＤを１，２，３，・・・とし、ＰＮ１≧ＰＮ２≧ＰＮ３≧・・・を設定する。
（ＡＤＪ３）アクセスポイントごとに送信電力制御済ｆｌａｇ＿ＣＦを設定する。この場合、最初、ｆｌａｇ＿ＣＦ（Ｍ）（Ｍ＝１，２，３，・・・）＝０とする。
（ＡＤＪ４）アクセスポイントＭの送信電力ＰＣＭを算出する。
（ＡＤＪ４−１）ｆｌａｇ＿ＣＦが“０”でなければ、そのアクセスポイントをスキップする。
（ＡＤＪ４−２）ＰＮＭ＝ｍａｘ｛アクセスポイントＭに隣接するアクセスポイントのＰＮの最大値−δＰ，ＰＣＭ｝を演算し、フラグｆｌａｇ＿ＣＦ（Ｍ）を付ける。ここで、δＰは、隣接するアクセスポイント間の送信電力の差のしきい値である。
（ＡＤＪ４−３）ＰＮＭの更新によってアクセスポイントＭと、アクセスポイントＭに隣接するアクセスポイントＬとの間の送信電力の差｜ＰＮＭ−ＰＮＬ｜がδＰを超えると、アクセスポイントＬのフラグｆｌａｇ＿ＣＦをクリアする。
（ＡＤＪ５）フラグｆｌａｇ＿ＣＦが“０”であるアクセスポイントに対して（ＡＤＪ４）の処理を行ない、再び、送信電力を調整する。
【０１４７】
図８は、送信電力の調整の具体例を示す図である。なお、図８においては、しきい値δＰは、１ｄＢｍであるとする。
【０１４８】
図８を参照して、ＣＳＧ１において、アクセスポイント１０，１７，１６，１２の送信電力ＰＮは、それぞれ、１５ｄＢｍ，１４ｄＢｍ，１３ｄＢｍ，９ｄＢｍと算出されている。
【０１４９】
アクセスポイント１１の送信電力ＰＮ１１が算出される際、アクセスポイント１０の影響で送信電力ＰＮ１１が１４ｄＢｍと算出される。
【０１５０】
その結果、アクセスポイント１２とアクセスポイント１１との間の送信電力の差（＝５ｄＢｍ）がしきい値δＰ（＝１ｄＢｍ）を超えてしまうので、電力制御装置６０の調整手段６４は、アクセスポイント１２のフラグｆｌａｇ＿ＣＦをクリアする。
【０１５１】
その後、アクセスポイント１５の送信電力ＰＮ１５が１２ｄＢｍと算出される。
【０１５２】
そうすると、電力制御装置６０の調整手段６４は、アクセスポイント１２の送信電力ＰＮ１２（＝９ｄＢｍ）がアクセスポイント１１の送信電力ＰＮ１１（＝１４ｄＢｍ）との差がしきい値δＰ（＝１ｄＢｍ）を超えないようにアクセスポイント１２の送信電力ＰＮ１２を９ｄＢｍから１３ｄＢｍに調整する。
【０１５３】
ＣＳＧ２において、アクセスポイント１８〜２１の送信電力ＰＮ１８〜ＰＮ２１は、同様に調整される。
【０１５４】
このように、この発明の実施の形態においては、電力制御装置６０の調整手段６４は、隣接する２つのアクセスポイント間の送信電力ＰＮの差がしきい値δＰ（＝１ｄＢｍ）を超えないように、１つのＣＳＧに含まれる送信電力を制御するアクセスポイント１０〜１２，１５〜２１の送信電力ＰＮ１０〜ＰＮ１２，ＰＮ１５〜ＰＮ２１を調整する。
【０１５５】
そして、電力制御装置６０の調整手段６４は、その調整後の送信電力ＰＮ１０〜ＰＮ１２，ＰＮ１５〜ＰＮ２１を通信手段６２へ出力し、通信手段６２は、送信電力ＰＮ１０〜ＰＮ１２，ＰＮ１５〜ＰＮ２１を他の情報とまとめてアクセスポイント１０〜１２，１５〜２１へ送信する。
【０１５６】
アクセスポイント１０〜１２，１５〜２１は、電力制御装置６０からそれぞれ送信電力ＰＮ１０〜ＰＮ１２，ＰＮ１５〜ＰＮ２１を受信し、その受信した送信電力ＰＮ１０〜ＰＮ１２，ＰＮ１５〜ＰＮ２１をビーコンフレームに含めて自己のローカルネットワーク内に存在する端末装置（端末装置１〜９の少なくとも１つ）へ送信する。
【０１５７】
そして、アクセスポイント１０〜１２，１５〜２１は、それぞれ、送信電力ＰＮ１０〜ＰＮ１２，ＰＮ１５〜ＰＮ２１で自己のローカルネットワーク内に存在する端末装置（端末装置１〜９の少なくとも１つ）とデータフレームを送受信する。なお、端末装置は、接続しているアクセルポイントと同じ送信電力でデータパケットを送信する。
【０１５８】
［チャネル使用率の決定］
電力制御装置６０の決定手段６３は、上述した方法によってアクセスポイント１０〜２１をＣＳＧに分類する。この場合、決定手段６３は、例えば、アクセスポイント１０〜２１をＣＳＧ１＝アクセスポイント１１〜２０と、ＣＳＧ２＝アクセスポイント１０，２１とに分類するものとする。
【０１５９】
そして、決定手段６３は、アクセスポイント１１〜１２，１５〜２０から送信されたｄｏＴＰＣ＝ＯＮに基づいて、ＣＳＧ１に分類されたアクセスポイント１１〜２０から送信電力を制御するアクセスポイント１１〜１２，１５〜２０と、送信電力を制御しないアクセスポイント１３，１４とを抽出する。
【０１６０】
その後、決定手段６３は、送信電力を制御するアクセスポイント１１〜１２，１５〜２０と、送信電力を制御しないアクセスポイント１３，１４とが公平にチャネルを共有するように送信電力を制御するアクセスポイント１１〜１２，１５〜２０のチャネル使用率を決定する。
【０１６１】
より具体的には、決定手段６３は、チャネル使用率＝（１つのＣＳＧに含まれるｄｏＴＰＣのアクセスポイントの個数）/（１つのＣＳＧに含まれるアクセスポイントの個数）によってチャネル使用率を決定する。
【０１６２】
上記の例では、送信電力を制御するアクセスポイント１１〜１２，１５〜２０の個数が８個であり、ＣＳＧ１に含まれるアクセスポイント１１〜２０の個数が１０個であるので、決定手段６３は、チャネル使用率を８／１０と決定する。
【０１６３】
また、決定手段６３は、ＣＳＧ２についても、同様にしてチャネル使用率を２／２＝１と決定する。
【０１６４】
このように、決定手段６３は、ＣＳＧ毎にチャネル使用率を決定する。そして、１つのＣＳＧに含まれる全てのｄｏＴＰＣのアクセスポイント（送信電力を制御するアクセスポイント）は、チャネル使用率が同じである。
【０１６５】
送信電力を制御するアクセスポイント１１〜１２，１５〜２０と、送信電力を制御しないアクセスポイント１３，１４とが公平にチャネルを共有するように送信電力を制御するアクセスポイント１１〜１２，１５〜２０のチャネル使用率を決定することによって、アクセスポイント１１〜２０が無線通信を行なう機会を均等に確保できる。
【０１６６】
また、１つのＣＳＧに含まれる全てのｄｏＴＰＣのアクセスポイント（送信電力を制御するアクセスポイント）が同じチャネル使用率を使用することによって、１つのＣＳＧに含まれるアクセスポイント１１〜１２，１５〜２０（送信電力を制御するアクセスポイント）が無線通信を行なう機会を均等に確保できる。
【０１６７】
［制御アクセスポイントおよび制御対象のアクセスポイントの決定］
図９は、制御アクセスポイントを決定する方法を説明するための図である。図９を参照して、アクセスポイント１１〜２０が１つのＣＳＧに含まれているものとする。ここで、送信電力を制御するアクセスポイント（ｄｏＴＰＣのＡＰ）は、アクセスポイント１１〜１２，１５〜２０であり、送信電力を制御しないアクセスポイント（ｎｏＴＰＣのＡＰ）は、アクセスポイント１３，１４である。
【０１６８】
図１０は、送信電力を制御するアクセスポイント（ｄｏＴＰＣのＡＰ）に隣接する送信電力を制御しないアクセスポイント（ｎｏＴＰＣのＡＰ）の算出例を示す図である。また、図１１は、制御アクセスポイントを決定する方法を説明するためのフローチャートである。
【０１６９】
なお、以下においては、送信電力を制御するアクセスポイント（ｄｏＴＰＣのＡＰ）を「送信電力制御ＡＰ」と呼び、送信電力を制御しないアクセスポイント（ｎｏＴＰＣのＡＰ）を「送信電力不制御ＡＰ」と呼ぶ。
【０１７０】
図１１を参照して、一連の動作が開始されると、決定手段６３は、１つのＣＳＧに含まれるアクセスポイント１１〜２０を受け付ける（ステップＳ１）。
【０１７１】
そして、決定手段６３は、ＣＳＧにおいて、送信電力不制御ＡＰ（ｎｏＴＰＣのＡＰ）のセットＮｏＴｐｃＡｐＳｅｔ＝ＡＰ１３，ＡＰ１４を算出する（ステップＳ２）。
【０１７２】
その後、決定手段６３は、ＣＳＧにおいて、送信電力制御ＡＰ（ｄｏＴＰＣのＡＰ）のセットＤｏＴｐｃＡｐＳｅｔ＝ＡＰ１１〜ＡＰ１２，ＡＰ１５〜ＡＰ２０を算出する（ステップＳ３）。
【０１７３】
引き続いて、決定手段６３は、チェック対象のアクセスポイントのセットｃｈｅｃｋｅｄＮｏＴｐｃＡｐＳｅｔを空にする（ステップＳ４）。
【０１７４】
そして、決定手段６３は、送信電力制御ＡＰ（ｄｏＴＰＣのＡＰ）毎に、送信電力制御ＡＰ（ｄｏＴＰＣのＡＰ）に隣接する送信電力不制御ＡＰ（ｎｏＴＰＣのＡＰ）のセットＮｏＴｐｃＡｐＮｅｉｇｈ（図１０参照）を算出する（ステップＳ５）。
【０１７５】
その後、決定手段６３は、送信電力制御ＡＰのセット（ＤｏＴｐｃＡｐＳｅｔ）において、送信電力制御ＡＰ（ｄｏＴＰＣのＡＰ）に隣接する送信電力不制御ＡＰ（ＮｏＴｐｃＡｐＮｅｉｇｈ）の個数の降順で送信電力制御ＡＰ（ｄｏＴＰＣのＡＰ）をソートする（ステップＳ６）。図１０に示す場合、アクセスポイントＡＰ１１，ＡＰ１７〜ＡＰ１９のＮｏＴｐｃＡｐＮｅｉｇｈの個数が１個であり、アクセスポイントＡＰ１２，ＡＰ１５，ＡＰ１６，ＡＰ２０のＮｏＴｐｃＡｐＮｅｉｇｈの個数が０個であるので、決定手段６３は、アクセスポイントＡＰ１１，ＡＰ１７〜ＡＰ１９からアクセスポイントＡＰ１１，ＡＰ１７〜ＡＰ１９を順次選択し、その次に、アクセスポイントＡＰ１２，ＡＰ１５，ＡＰ１６，ＡＰ２０からアクセスポイントＡＰ１２，ＡＰ１５，ＡＰ１６，ＡＰ２０を順次選択する。即ち、決定手段６３は、ＮｏＴｐｃＡｐＮｅｉｇｈの個数が同じであるアクセスポイントＡＰ１１，ＡＰ１７〜ＡＰ１９およびアクセスポイントＡＰ１２，ＡＰ１５，ＡＰ１６，ＡＰ２０に対しては、任意の順番を付与することによって、アクセスポイントＡＰ１１，ＡＰ１２，ＡＰ１５〜ＡＰ２０に対して、制御アクセスポイントであるか否かを判断する順番をアクセスポイントＡＰ１１，ＡＰ１７，ＡＰ１８，ＡＰ１９，ＡＰ１２，ＡＰ１５，ＡＰ１６，ＡＰ２０の順に決定する。
【０１７６】
引き続いて、決定手段６３は、ｉ＝１を設定し、一番目の送信電力制御ＡＰ（ｄｏＴＰＣのＡＰ）＝ＡＰ１１を選択し（ステップＳ７）、その選択した送信電力制御ＡＰ（ｄｏＴＰＣのＡＰ）に隣接する送信電力不制御ＡＰのセットＮｏＴｐｃＡｐＮｅｉｇｈのうち、チェック対象のアクセスポイントのセットｃｈｅｃｋｅｄＮｏＴｐｃＡｐＳｅｔに入っていないものをｎｅｗＮｏＴｐｃＡｐＳｅｔとして算出する（ステップＳ８）。
【０１７７】
そして、決定手段６３は、ｎｅｗＮｏＴｐｃＡｐＳｅｔが空であるか否かを判定する（ステップＳ９）。
【０１７８】
ステップＳ９において、ｎｅｗＮｏＴｐｃＡｐＳｅｔが空でないと判定されたとき、決定手段６３は、送信電力制御ＡＰ（ｄｏＴＰＣのＡＰ）のｄｏＣｈＣｔｒｌをＯＮにする（ステップＳ１０）。即ち、決定手段６３は、送信電力制御ＡＰ（ｄｏＴＰＣのＡＰ）を制御アクセスポイントとする。
【０１７９】
そして、決定手段６３は、送信電力制御ＡＰ（ｄｏＴＰＣのＡＰ）の制御対象のアクセスポイントのセットｍｏｎｉｔｏｒＮｏＴｐｃＡｐＳｅｔをｎｅｗＮｏＴｐｃＡｐＳｅｔとする（ステップＳ１１）。
【０１８０】
その後、決定手段６３は、ｎｅｗＮｏＴｐｃＡｐＳｅｔをチェック対象のアクセスポイントのセットｃｈｅｃｋｅｄＮｏＴｐｃＡｐＳｅｔに入れる（ステップＳ１２）。
【０１８１】
一方、ステップＳ９において、ｎｅｗＮｏＴｐｃＡｐＳｅｔが空であると判定されたとき、決定手段６３は、送信電力制御ＡＰ（ｄｏＴＰＣのＡＰ）のｄｏＣｈＣｔｒｌをＯＦＦにする（ステップＳ１３）。
【０１８２】
その後、決定手段６３は、送信電力制御ＡＰ（ｄｏＴＰＣのＡＰ）の制御対象のアクセスポイントのセットｍｏｎｉｔｏｒＮｏＴｐｃＡｐＳｅｔを空にする（ステップＳ１４）。
【０１８３】
そして、ステップＳ１２またはステップＳ１４の後、決定手段６３は、送信電力制御ＡＰ（ｄｏＴＰＣのＡＰ）のセットＤｏＴｐｃＡｐＳｅｔにおける全ての送信電力制御ＡＰ（ｄｏＴＰＣのＡＰ）を処理したか否かを判定する（ステップＳ１５）。
【０１８４】
ステップＳ１５において、全ての送信電力制御ＡＰ（ｄｏＴＰＣのＡＰ）を処理していないと判定されたとき、決定手段６３は、ｉ＝ｉ＋１を設定し、次の送信電力制御ＡＰ（ｄｏＴＰＣのＡＰ）＝ＡＰ１７を選択する（ステップＳ１６）。
【０１８５】
その後、一連の動作は、ステップＳ８へ戻り、ステップＳ１５において、全ての送信電力制御ＡＰ（ｄｏＴＰＣのＡＰ）を処理したと判定されるまで、上述したステップＳ８〜ステップＳ１６が繰り返し実行される。
【０１８６】
そして、ステップＳ１５において、全ての送信電力制御ＡＰ（ｄｏＴＰＣのＡＰ）を処理したと判定されると、一連の動作が終了する。
【０１８７】
ステップＳ７において、一番目のアクセスポイント１１（＝ＡＰ１１）が選択される。そして、ｃｈｅｃｋｅｄＮｏＴｐｃＡｐＳｅｔは空であるので（ステップＳ４参照）、ＡＰ１１に隣接する送信電力不制御ＡＰ＝ＡＰ１３は、ｃｈｅｃｋｅｄＮｏＴｐｃＡｐＳｅｔに入っていない。従って、ステップＳ８において、送信電力不制御ＡＰ＝ＡＰ１３は、ｎｅｗＮｏＴｐｃＡｐＳｅｔとして算出される。
【０１８８】
その結果、ステップＳ９において、ｎｅｗＮｏＴｐｃＡｐＳｅｔは空でないと判定され、ステップＳ１０において、送信電力制御ＡＰ＝ＡＰ１１は、制御アクセスポイントに設定される。
【０１８９】
その後、ステップＳ１１において、送信電力制御ＡＰ＝ＡＰ１１の制御対象である送信電力不制御ＡＰ＝ＡＰ１３は、ｎｅｗＮｏＴｐｃＡｐＳｅｔに入れられる。そして、ステップＳ１２において、ｎｅｗＮｏＴｐｃＡｐＳｅｔ（＝ＡＰ１３）は、ｃｈｅｃｋｅｄＮｏＴｐｃＡｐＳｅｔに入れられる。
【０１９０】
次に、送信電力制御ＡＰ＝ＡＰ１７は、ステップＳ８〜ステップＳ１２において、送信電力制御ＡＰ＝ＡＰ１１と同様に処理され、送信電力不制御ＡＰ＝ＡＰ１４がｎｅｗＮｏＴｐｃＡｐＳｅｔに入れられ（ステップＳ１１参照）、ｎｅｗＮｏＴｐｃＡｐＳｅｔ（＝ＡＰ１４）がｃｈｅｃｋｅｄＮｏＴｐｃＡｐＳｅｔに入れられる（ステップＳ１２参照）。
【０１９１】
その後、送信電力制御ＡＰ＝ＡＰ１８は、自己に隣接する送信電力不制御ＡＰとしてＡＰ１４を有するが（図１０参照）、ＡＰ１４は、既に、ｃｈｅｃｋｅｄＮｏＴｐｃＡｐＳｅｔに入れられている。従って、送信電力制御ＡＰ＝ＡＰ１８についてステップＳ８を実行する際、ｃｈｅｃｋｅｄＮｏＴｐｃＡｐＳｅｔに入っていない送信電力不制御ＡＰはないので、ステップＳ８において、ｎｅｗＮｏＴｐｃＡｐＳｅｔとして算出される送信電力不制御ＡＰはない。その結果、ステップＳ９において、ｎｅｗＮｏＴｐｃＡｐＳｅｔは空であると判定され、送信電力制御ＡＰ＝ＡＰ１８は、制御アクセスポイントに設定されず（ステップＳ１３参照）、送信電力制御ＡＰ＝ＡＰ１８の制御対象の送信電力不制御ＡＰは、空にされる（ステップＳ１４参照）。
【０１９２】
送信電力制御ＡＰ＝ＡＰ１９についても、送信電力制御ＡＰ＝ＡＰ１８と同様に処理される。
【０１９３】
送信電力制御ＡＰ＝ＡＰ１２，ＡＰ１５，ＡＰ１６，ＡＰ２０については、隣接する送信電力不制御ＡＰが無いので（図１０参照）、送信電力制御ＡＰ＝ＡＰ１２，ＡＰ１５，ＡＰ１６，ＡＰ２０は、制御アクセスポイントに設定されない（ステップＳ１３参照）。
【０１９４】
図９に示すように、送信電力制御ＡＰ＝ＡＰ１７，ＡＰ１８，ＡＰ１９は、送信電力不制御ＡＰ＝ＡＰ１４に隣接するが、送信電力制御ＡＰ＝ＡＰ１７，ＡＰ１８，ＡＰ１９のうち、制御アクセスポイントに設定されるのは、ＡＰ１７だけである。
【０１９５】
従って、図１１示すフローチャートに従って制御アクセスポイントを決定することによって、制御アクセスポイントの個数を最小にできる。
【０１９６】
決定手段６３は、図９に示すアクセスポイント１１〜２０について図１１に示すフローチャートを実行することによって、アクセスポイント１１，１７を制御アクセスポイントとして決定し、アクセスポイント１３，１４をそれぞれアクセスポイント１１，１７の制御対象のアクセスポイントとして決定する。
【０１９７】
なお、決定手段６３は、図１１に示すフローチャートをＣＳＧ毎に実行し、ＣＳＧ毎に制御アクセスポイントと、制御対象の送信電力不制御ＡＰとを決定する。
【０１９８】
決定手段６３は、送信電力制御ＡＰのチャネル使用率、制御アクセスポイント＝ＡＰ１１，ＡＰ１７、制御対象の送信電力不制御ＡＰ＝ＡＰ１３，ＡＰ１４および送信電力Ｐ１１Ｎ，Ｐ１２Ｎ，Ｐ１５Ｎ〜Ｐ２０Ｎを決定すると、送信電力制御ＡＰのチャネル使用率、制御アクセスポイント＝ＡＰ１１，ＡＰ１７、制御対象の送信電力不制御ＡＰ＝ＡＰ１３（ＡＰ１１），ＡＰ１４（ＡＰ１７）および送信電力Ｐ１１Ｎ，Ｐ１２Ｎ，Ｐ１５Ｎ〜Ｐ２０Ｎを通信手段６２および有線インターフェース６１を介してアクセスポイント１１〜１２，１５〜２０へ送信する。
【０１９９】
［実施例１］
アクセスポイント１１〜１２，１５〜２０は、送信電力制御ＡＰのチャネル使用率、制御アクセスポイント＝ＡＰ１１，ＡＰ１７、制御対象の送信電力不制御ＡＰ＝ＡＰ１３（ＡＰ１１），ＡＰ１４（ＡＰ１７）および送信電力Ｐ１１Ｎ，Ｐ１２Ｎ，Ｐ１５Ｎ〜Ｐ２０Ｎを電力制御装置６０からネットワーク４０を介して受信する。そして、アクセスポイント１１〜１２，１５〜２０は、ビーコンを介して、送信電力、スロット長、およびチャネル使用率を端末装置に通知する。
【０２００】
スロットの開始で、ｄｏＴＰＣのアクセスポイントおよび端末装置は、ｄｏＴＰＣ時間帯＝スロット長×チャネル使用率、およびｎｏＴＰＣ時間帯＝スロット長×（１−チャネル使用率）によって、ｄｏＴＰＣ時間帯およびｎｏＴＰＣ時間帯を算出する。制御アクセスポイントであるアクセスポイント１１，１７は、その算出したｄｏＴＰＣ時間帯を含むＳＡＭを生成する。
【０２０１】
図１２は、ＳＡＭフレームの構成図である。図１２を参照して、ＳＡＭフレームは、ＷｉＦｉの標準フレーム・フォーマットに従って定義され、Ｆｒａｍｅ  Ｃｔｒｌと、Ａ１〜Ａ３と、Ｓｅｑ  Ｃｔｒｌと、Ｆｒａｍｅ  Ｂｏｄｙと、ＦＣＳとを含む。
【０２０２】
Ｆｒａｍｅ  Ｃｔｒｌ、Ａ１、Ａ２、Ａ３、Ｓｅｑ  Ｃｔｒｌ、Ｆｒａｍｅ  Ｂｏｄｙ、およびＦＣＳは、それぞれ、２バイト、２バイト、６バイト、６バイト、６バイト、２バイト、０〜２３１２バイトおよび４バイトの長さを有する。
【０２０３】
Ｆｒａｍｅ  Ｃｔｒｌは、タイプフィールドであり、“００”が格納される。Ｄｕｒａｔｉｏｎは、ｄｏＴＰＣ時間帯＝ｄｏＴＰＣ時間帯の終了時刻−ＳＡＭフレームの送信開始時刻−ＳＡＭフレームの送信時間が格納される。
【０２０４】
Ａ１は、ブロードキャストアドレスを示すＢＲＯＡＤＣＡＳＴが格納され、Ａ２は、制御アクセスポイントのＭＡＣアドレスが格納され、Ａ３は、制御アクセスポイントの通信範囲を識別するＢＳＳＩＤが格納される。Ｓｅｑ  Ｃｔｒｌは、ＳＡＭのシーケンス番号が格納される。Ｆｒａｍｅ  Ｂｏｄｙは、タイプ＝ＳＡＭが格納される。ＦＣＳは、誤り訂正符号である。
【０２０５】
Ｄｕｒａｔｉｏｎには、ｄｏＴＰＣ時間帯のみが格納される。ｎｏＴＰＣのアクセスポイントと端末装置は、ＳＡＭフレームを受信すると、ｄｏＴＰＣ時間帯の終了時刻までのＮＡＶを自動的に設定し、ｄｏＴＰＣ時間帯において通信しない。そのＮＡＶタイマーが満了すると、ちょうど、ｎｏＴＰＣ時間帯となる。ｎｏＴＰＣ時間帯において、ｄｏＴＰＣのアクセスポイントと端末装置は、通信を抑えるので、ｎｏＴＰＣのアクセスポイントと端末装置との間のみ、通信が行われる。従って、ＳＡＭフレームは、ｄｏＴＰＣ時間帯およびｎｏＴＰＣ時間の両方を実質的に含む。
【０２０６】
図１３は、アクセスポイントと端末装置との間の実施例１における送信電力制御動作を示す図である。
【０２０７】
図１３を参照して、制御アクセスポイントであるアクセスポイント１１は、スロット１において、ｄｏＴＰＣ時間帯１を含むＳＡＭ１を生成して一番高い優先度でチャネルにアクセスし、最大の送信電力Ｐｍａｘでブローキャストする。この場合、ＳＡＭ１のＤｕｒａｔｉｏｎには、ｄｏＴＰＣ時間帯１が格納され、Ａ１には、ＢＲＯＡＤＣＡＳＴが格納され、Ａ２には、アクセスポイント１１のＭＡＣアドレスＭａｃＡｄｄ１１が格納され、Ａ３には、アクセスポイント１１の通信範囲を識別するＢＳＳＩＤが格納される。
【０２０８】
アクセスポイント１２，１３，１５，１６およびアクセスポイント１１，１２，１３，１５，１６の通信範囲内に存在する端末装置は、ＳＡＭ１を受信する。そして、アクセスポイント１３およびアクセスポイント１３の通信範囲内に存在する端末装置は、無線通信を行なわない時間帯を示すＮＡＶをｄｏＴＰＣ時間帯１に設定する。他のｄｏＴＰＣのアクセスポイントと端末装置は、ＳＡＭ１を受信しても、ＮＡＶを設定せずに通信する。
【０２０９】
また、制御アクセスポイントであるアクセスポイント１７は、スロット１において、ｄｏＴＰＣ時間帯１を含むＳＡＭ２を生成して一番高い優先度でチャネルにアクセスし、最大の送信電力Ｐｍａｘでブローキャストする。この場合、ＳＡＭ２のＤｕｒａｔｉｏｎには、ｄｏＴＰＣ時間帯１が格納され、Ａ１には、ＢＲＯＡＤＣＡＳＴが格納され、Ａ２には、アクセスポイント１７のＭＡＣアドレスＭａｃＡｄｄ１７が格納され、Ａ３には、アクセスポイント１７の通信範囲を識別するＢＳＳＩＤが格納される。
【０２１０】
アクセスポイント１４，１８，１９，２０およびアクセスポイント１４，１７，１８，１９，２０の通信範囲内に存在する端末装置は、ＳＡＭ２を受信する。そして、アクセスポイント１４およびアクセスポイント１４の通信範囲内に存在する端末装置は、無線通信を行なわない時間帯を示すＮＡＶをｄｏＴＰＣ時間帯１に設定する。他のｄｏＴＰＣのアクセスポイントと端末装置は、ＳＡＭ２を受信しても、ＮＡＶを設定せずに通信する。
【０２１１】
そして、送信電力を制御するアクセスポイント１１，１２，１５〜２０は、ｄｏＴＰＣ時間帯１において、それぞれ、送信電力Ｐ１１Ｎ，Ｐ１２Ｎ，Ｐ１５Ｎ〜Ｐ２０Ｎでデータパケットを端末装置との間で送受信する。
【０２１２】
また、ｄｏＴＰＣ時間帯１が終了すると、送信電力を制御するアクセスポイントと端末装置は、スロット１の終了まで送信を抑える。ｄｏＴＰＣ時間帯１が終了する時点で、送信電力を制御しないアクセスポイント１３，１４のＮＡＶタイマーが満了するので、ｎｏＴＰＣ時間帯１に入り、アクセスポイント１３，１４のセルにおいて最大の送信電力でデータパケットが送信される。
【０２１３】
しかし、送信電力を制御しないアクセスポイント１３は、パケットの誤りでＳＡＭ１を正しく受信できず、ＮＡＶも設定しないため、本来、通信が禁止されているｄｏＴＰＣ時間帯１において、データパケットを送信しているので、制御アクセスポイントであるアクセスポイント１１は、アクセスポイント１３がデータパケットを送信したことを検知（フレームのＢＳＳＩＤがアクセスポイント１３のＢＳＳＩＤであるかどうかで検知）したタイミングで一番高い優先度でチャネルにアクセスし、最大の送信電力ＰｍａｘでＳＡＭ３を更にブロードキャストする。ＳＡＭ３に格納されるｄｕｒａｔｉｏｎ３は、ｄｕｒａｔｉｏｎ１の残りの時間帯である。なお、アクセスポイント１１がＳＡＭ３をブロードキャストすることは、送信電力を制御するアクセスポイントが無線通信を行なう時間帯であるｄｏＴＰＣ時間帯を新たに設定することになるので、ｄｏＴＰＣ時間帯を更新してブロードキャストすることに相当する。このｄｏＴＰＣ時間帯の更新によって、ｄｏＴＰＣ時間帯におけるアクセスポイント１３の無線通信を更に抑制でき、アクセスポイント１２，１５〜２０による送信電力を制御した無線通信を更に確保できる。その結果、送信電力を制御するアクセスポイント１１，１２，１５〜２０と、送信電力を制御しないアクセスポイント１３，１４とが共存する環境において、送信電力の制御を更に確保できる。
【０２１４】
スロット１が終了すると、制御アクセスポイントであるアクセスポイント１１は、スロット２において、ｄｏＴＰＣ時間帯２を含むＳＡＭ４を生成して一番高い優先度でチャネルにアクセスし、最大の送信電力Ｐｍａｘでブローキャストする。この場合、ＳＡＭ４のＤｕｒａｔｉｏｎには、ｄｏＴＰＣ時間帯２が格納され、Ａ１には、ＢＲＯＡＤＣＡＳＴが格納され、Ａ２には、アクセスポイント１１のＭＡＣアドレスＭａｃＡｄｄ１１が格納され、Ａ３には、アクセスポイント１１の通信範囲を識別するＢＳＳＩＤが格納される。
【０２１５】
アクセスポイント１２，１３，１５，１６およびアクセスポイント１１，１２，１３，１５，１６の通信範囲内に存在する端末装置は、ＳＡＭ４を受信する。そして、アクセスポイント１３およびアクセスポイント１３の通信範囲内に存在する端末装置は、無線通信を行なわない時間帯を示すＮＡＶをｄｏＴＰＣ時間帯２に設定する。他のｄｏＴＰＣのアクセスポイントと端末装置は、ＳＡＭ４を受信しても、ＮＡＶを設定せずに通信する。
【０２１６】
また、制御アクセスポイントであるアクセスポイント１７は、スロット２において、ｄｏＴＰＣ時間帯２を含むＳＡＭ５を生成して一番高い優先度でチャネルにアクセスし、最大の送信電力Ｐｍａｘでブローキャストする。この場合、ＳＡＭ５のＤｕｒａｔｉｏｎには、ｄｏＴＰＣ時間帯２が格納され、Ａ１には、ＢＲＯＡＤＣＡＳＴが格納され、Ａ２には、アクセスポイント１７のＭＡＣアドレスＭａｃＡｄｄ１７が格納され、Ａ３には、アクセスポイント１７の通信範囲を識別するＢＳＳＩＤが格納される。
【０２１７】
アクセスポイント１４，１８，１９，２０およびアクセスポイント１４，１７，１８，１９，２０の通信範囲内に存在する端末装置は、ＳＡＭ５を受信する。そして、アクセスポイント１４およびアクセスポイント１４の通信範囲内に存在する端末装置は、無線通信を行なわない時間帯を示すＮＡＶをｄｏＴＰＣ時間帯２に設定する。他のｄｏＴＰＣのアクセスポイントと端末装置は、ＳＡＭ５を受信しても、ＮＡＶを設定せずに通信する。
【０２１８】
そして、送信電力を制御するアクセスポイント１１，１２，１６〜２０は、ｄｏＴＰＣ時間帯２において、それぞれ、送信電力Ｐ１１Ｎ，Ｐ１２Ｎ，Ｐ１６Ｎ〜Ｐ２０Ｎでデータパケットを端末装置との間で送受信する。
【０２１９】
また、送信電力を制御しないアクセスポイント１３，１４は、ｎｏＴＰＣ時間帯２において、最大の送信電力でデータパケットを端末装置との間で送受信する。
【０２２０】
なお、アクセスポイント１５は、スロット２のｄｏＴＰＣ時間帯２において、送信電力Ｐ１５Ｎでデータパケットを端末装置との間で送受信できるが、図１３に示す例においては、データパケットを送受信していないだけである。
【０２２１】
また、ｄｏＴＰＣ時間帯１とｎｏＴＰＣ時間帯１との和は、スロット１の長さに等しく、ｄｏＴＰＣ時間帯２とｎｏＴＰＣ時間帯２との和は、スロット２の長さに等しいので、アクセスポイント１１，１７がｄｏＴＰＣ時間帯１とｎｏＴＰＣ時間帯１とを算出すること、およびｄｏＴＰＣ時間帯２とｎｏＴＰＣ時間帯２とを算出することは、スロットをｄｏＴＰＣ時間帯とｎｏＴＰＣ時間帯とに分割することに相当する。
【０２２２】
更に、送信電力を制御するアクセスポイントは、上述したように、自己が送信電力を制御可能であり、かつ、自己に接続してくる端末装置が送信電力を制御する端末装置であるので、アクセスポイント１１，１２，１５〜２０は、送信電力を制御してデータパケットを送信する端末装置と無線通信を行なう。
【０２２３】
また、送信電力を制御しないアクセスポイントは、上述したように、自己が送信電力を制御できず、かつ、自己に接続してくる端末装置が送信電力を制御できるが送信電力を制御しない端末装置である、または自己が送信電力を制御可能であり、かつ、自己に接続してくる端末装置が送信電力を制御できない端末装置であるので、アクセスポイント１３，１４は、送信電力を制御できない端末装置、または送信電力を制御可能であるが送信電力を制御しない端末装置と無線通信を行なう。
【０２２４】
送信電力を制御するアクセスポイントが送信電力を制御してデータパケットを送信する端末装置と無線通信を行なうことによって、アクセスポイント１１，１２，１５〜２０は、送信電力を制御しないアクセスポイント１３，１４による無線通信からの干渉を除去して、自己の通信範囲内に存在する端末装置との間で送信電力を制御して無線通信を行なう。従って、送信電力を制御するアクセスポイント１１，１２，１５〜２０と送信電力を制御しないアクセスポイント１３，１４とが共存する環境において送信電力の制御を確保できる。
【０２２５】
また、送信電力を制御しないアクセスポイントが送信電力を制御できない端末装置または送信電力を制御可能であるが送信電力を制御しない端末装置と無線通信を行なうことによって、アクセスポイント１３，１４は、自己の通信範囲内に存在する端末装置との間で最大の送信電力でデータパケットを送受信する。従って、送信電力を制御しないアクセスポイント１３，１４による無線通信のスループットの劣化を防止できる。
【０２２６】
図１４は、この発明の実施の形態における通信方法の概念図である。図１４を参照して、送信電力を制御するアクセスポイント１１，１２，１５〜２０は、ｄｏＴＰＣ時間帯において、それぞれ、最大の送信電力Ｐｍａｘよりも小さい送信電力Ｐ１１Ｎ，Ｐ１２Ｎ，Ｐ１５Ｎ，〜Ｐ２０Ｎでデータパケットを端末装置との間で送受信し、送信電力を制御しないアクセスポイント１３，１４は、ｎｏＴＰＣ時間帯において、最大の送信電力Ｐｍａｘでデータパケットを端末装置との間で送受信する。
【０２２７】
その結果、送信電力を制御するアクセスポイント１１，１２，１５〜２０による無線通信と、送信電力を制御しないアクセスポイント１３，１４による無線通信とが干渉することはなく、送信電力を制御するアクセスポイント１１，１２，１５〜２０が送信電力を最大の送信電力Ｐｍａｘよりも小さい送信電力に制御してデータパケットを送信しても、非対称リンクが発生せず、スループットを高くできる。
【０２２８】
従って、送信電力を制御するアクセスポイント１１，１２，１５〜２０と、送信電力を制御しないアクセスポイント１３，１４とが共存する環境においても、送信電力を制御することによってスループットを向上できる。
【０２２９】
また、上述したように、制御アクセスポイントであるアクセスポイント１１は、ｄｏＴＰＣ時間帯１において、制御対象であるアクセスポイント１３がデータパケットを送信していないかを監視し、制御対象であるアクセスポイント１３がデータパケットを送信していれば、新たにＳＡＭ３をブロードキャストしてアクセスポイント１３の通信を禁止する。
【０２３０】
従って、送信電力を制御するアクセスポイント１１，１２，１５〜２０による無線通信が、送信電力を制御しないアクセスポイント１３，１４による無線通信と干渉するのを更に抑制できる。その結果、送信電力を制御するアクセスポイント１１，１２，１５〜２０による無線通信と、送信電力を制御しないアクセスポイント１３，１４による無線通信とが共存する環境において、送信電力を更に確実に制御できる。
【０２３１】
［実施例２］
実施例２においては、送信電力不制御ＡＰ（＝送信電力を制御しないアクセスポイント）に隣接しない送信電力制御ＡＰ（＝送信電力を制御するアクセスポイント）をＣＳＧから除外してチャネル使用率を決定する。
【０２３２】
より具体的には、図９に示すアクセスポイント１１〜２０を例にすると、アクセスポイント１２，１５，１６，２０は、送信電力を制御しないアクセスポイント１３，１４に隣接していないので、決定手段６３は、アクセスポイント１２，１５，１６，２０のチャネル使用率を“１”と決定し、かつ、アクセスポイント１２，１５，１６，２０のｄｏＣｈＣｔｒｌをＯＦＦに設定した後に、アクセスポイント１２，１５，１６，２０をＣＳＧから除外する。
【０２３３】
そして、決定手段６３は、上述したＣＳＧの構築方法を実行して、残ったアクセスポイント１１，１３，１４，１７，１８，１９を複数のブロックに分ける。
【０２３４】
そうすると、決定手段６３は、ブロック毎に、チャネル使用率、制御アクセスポイント、および制御対象のアクセスポイントを決定する。
【０２３５】
図１５は、実施例２におけるチャネル使用率の決定方法を説明するためのフローチャートである。
【０２３６】
図１５を参照して、一連の動作が開始されると、電力制御装置６０の決定手段６３は、一つのＣＳＧに含まれるアクセスポイントを受け付ける（ステップＳ２１）。
【０２３７】
そして、決定手段６３は、ｉ＝１を設定し、ＣＳＧにおける一番目のアクセスポイントＡＰｉを選択する（ステップＳ２２）。その後、決定手段６３は、ＡＰｉが送信電力を制御するアクセスポイント（ｄｏＴＰＣのＡＰ）であり、かつ、送信電力を制御しないアクセスポイント（ｎｏＴＰＣのＡＰ）に隣接しないか否かを判定する（ステップＳ２３）。
【０２３８】
ステップＳ２３において、ＡＰｉが送信電力を制御するアクセスポイント（ｄｏＴＰＣのＡＰ）でない、または、送信電力を制御しないアクセスポイント（ｎｏＴＰＣのＡＰ）に隣接すると判定されたとき、一連の動作は、ステップＳ２９へ移行する。
【０２３９】
一方、ステップＳ２３において、ＡＰｉが送信電力を制御するアクセスポイント（ｄｏＴＰＣのＡＰ）であり、かつ、送信電力を制御しないアクセスポイント（ｎｏＴＰＣのＡＰ）に隣接しないと判定されたとき、決定手段６３は、ＡＰｉのチャネル使用率を“１”に設定し（ステップＳ２４）、ＡＰｉのｄｏＣｈＣｔｒｌをＯＦＦにする（ステップＳ２５）。
【０２４０】
その後、決定手段６３は、ＡＰｉの制御対象のアクセスポイントのセットｍｏｎｉｔｏｒＮｏＴｐｃＡｐＳｅｔを空にし（ステップＳ２６）、ＡＰｉをＣＳＧから除外する（ステップＳ２７）。
【０２４１】
そして、決定手段６３は、全てのＡＰを処理済みであるか否かを判定する（ステップＳ２８）。
【０２４２】
ステップＳ２８において、全てのＡＰを処理済みであると判定されたとき、またはステップＳ２３において、ＡＰｉが送信電力を制御するアクセスポイント（ｄｏＴＰＣのＡＰ）でない、または、送信電力を制御しないアクセスポイント（ｎｏＴＰＣのＡＰ）に隣接すると判定されたとき、決定手段６３は、ｉ＝ｉ＋１を設定し、次のＡＰを選択する（ステップＳ２９）。
【０２４３】
その後、一連の動作は、ステップＳ２３へ戻り、ステップＳ２８において、全てのＡＰを処理済みであると判定されるまで、上述したステップＳ２３〜ステップＳ２９が繰り返し実行される。
【０２４４】
そして、ステップＳ２８において、全てのＡＰを処理済みである判定されると、決定手段６３は、上述したＣＳＧ構築法を用いて、ＣＳＧに残したＡＰを複数のブロックに分ける（ステップＳ３０）。
【０２４５】
その後、決定手段６３は、ｊ＝１を設定し、一番目のブロックを選択する（ステップ３１）。そして、決定手段６３は、ブロックＢＬＫｊにおけるｄｏＴＰＣのＡＰの数と、ブロックＢＬＫｊにおけるＡＰの全数との比率をブロックＢＬＫｊにおけるｄｏＴＰＣのＡＰのチャネル使用率とする（ステップＳ３２）。
【０２４６】
引き続いて、決定手段６３は、ブロックＢＬＫｊにおける制御アクセスポイントおよび制御対象のアクセスポイントのセットｍｏｎｉｔｏｒＮｏＴｐｃＡｐＳｅｔを図１１に示すフローチャートに従って算出する（ステップＳ３３）。
【０２４７】
そうすると、決定手段６３は、全てのブロックを処理したか否かを判定する（ステップＳ３４）。
【０２４８】
ステップＳ３４において、全てのブロックを処理していないと判定されたとき、決定手段６３は、ｊ＝ｊ＋１を設定し、次のブロックを選択する（ステップＳ３５）。
【０２４９】
その後、一連の動作は、ステップＳ３２へ戻り、ステップＳ３４において、全てのブロックを処理したと判定されるまで、上述したステップＳ３２〜ステップＳ３５が繰り返し実行される。
【０２５０】
そして、ステップＳ３４において、全てのブロックを処理したと判定されると、一連の動作は、終了する。
【０２５１】
なお、図１５に示すフローチャートは、ＣＳＧ毎に実行される。
【０２５２】
図９に示すアクセスポイント１１〜２０に対して図１５に示すフローチャートが実行されると、アクセスポイント１２，１５，１６，２０は、チャネル使用率が“１”に設定され、ｄｏＣｈＣｔｒｌがＯＦＦに設定され、ＣＳＧから除外される。そして、ＣＳＧに残ったアクセスポイント１１，１３，１４，１７，１８，１９は、アクセスポイント１１，１３からなるブロックＢＬＫ１と、アクセスポイント１４，１７，１８，１９からなるブロックＢＬＫ２とに分けられる。
【０２５３】
その後、ブロックＢＬＫ１は、送信電力を制御するアクセスポイント１１と、送信電力を制御しないアクセスポイント１３とからなるので、ブロックＢＬＫ１におけるチャネル使用率は、１／２と算出される。また、ブロックＢＬＫ１における制御アクセスポイントは、アクセスポイント１１と決定され、制御対象のアクセスポイントは、アクセスポイント１３と決定される。
【０２５４】
また、ブロックＢＬＫ２は、送信電力を制御するアクセスポイント１７，１８，１９と、送信電力を制御しないアクセスポイント１４とからなるので、ブロックＢＬＫ２におけるチャネル使用率は、３／４と算出される。また、ブロックＢＬＫ２における制御アクセスポイントは、アクセスポイント１７と決定され、制御対象のアクセスポイントは、アクセスポイント１４と決定される。
【０２５５】
図１６は、電力制御装置６０がアクセスポイントへ送信する情報を示す図である。図１６を参照して、決定手段６３は、図１５に示すフローチャートを実行することによって情報ＩＦを取得する。
【０２５６】
情報ＩＦは、制御アクセスポイントであるか否かを示すｄｏＣｈＣｔｒｌと、制御対象のアクセスポイントを示すｍｏｎｉｔｏｒＮｏＴｐｃＡｐＳｅｔと、チャネル使用率とを送信電力を制御する各アクセスポイントに対応付けたものである。
【０２５７】
そして、決定手段６３は、情報ＩＦを通信手段６２および有線インターフェース６１を介してアクセスポイント１１，１２，１５〜２０へ送信する。
【０２５８】
アクセスポイント１１，１２，１５〜２０は、情報ＩＦを受信する。そして、アクセスポイント１１は、自己が制御アクセスポイントであること、制御対象のアクセスポイントがアクセスポイント１３であること、およびチャネル使用率が１／２であることを検知する。
【０２５９】
また、アクセスポイント１７は、自己が制御アクセスポイントであること、制御対象のアクセスポイントがアクセスポイント１４であること、およびチャネル使用率が３／４であることを検知する。
【０２６０】
更に、アクセスポイント１２，１５，１６，２０は、自己が制御アクセスポイントでないこと、制御対象のアクセスポイントがないこと、およびチャネル使用率が１であることを検知する。
【０２６１】
更に、アクセスポイント１８，１９は、自己が制御アクセスポイントでないこと、制御対象のアクセスポイントがないこと、およびチャネル使用率が３／４であることを検知する。
【０２６２】
図１７は、アクセスポイントと端末装置との間の実施例２における送信電力制御動作を示す図である。
【０２６３】
スロット３において、ｄｏＴＰＣのアクセスポイント１１とそれに接続している端末装置は、チャネル使用率＝１／２およびスロット長を用いて、ｄｏＴＰＣ時間帯３＝スロット長×１／２を算出する。
【０２６４】
そして、制御アクセスポイントであるアクセスポイント１１は、ｄｏＴＰＣ時間帯３を含むＳＡＭ６を生成して一番高い優先度でチャネルにアクセスし、最大の送信電力Ｐｍａｘでブロードキャストする。ＳＡＭ６のＡ１，Ａ２，Ａ３は、実施例１において説明したとおりである。
【０２６５】
そうすると、アクセスポイント１３およびアクセスポイント１１，１３の通信範囲内に存在する端末装置は、ＳＡＭ６を受信する。そして、アクセスポイント１３およびアクセスポイント１３の通信範囲内に存在する端末装置は、無線通信を行なわない時間帯を示すＮＡＶをｄｏＴＰＣ時間帯３に設定する。他のｄｏＴＰＣのアクセスポイントと端末装置は、ＳＡＭ６を受信しても、ＮＡＶを設定せずに通信する。
【０２６６】
その後、アクセスポイント１１は、スロット３のｄｏＴＰＣ時間帯３において、最大の送信電力Ｐｍａｘよりも小さい送信電力Ｐ１１Ｎを用いて自己の通信範囲内に存在する端末装置とデータパケットを送受信する。また、ｄｏＴＰＣ時間帯３が終了すると、アクセスポイント１３とそれに接続している端末装置でのＮＡＶタイマーが満了するので、スロット３のｎｏＴＰＣ時間帯３に入り、アクセスポイント１３は、最大の送信電力Ｐｍａｘを用いて自己の通信範囲内に存在する端末装置とデータパケットを送受信する。更に、アクセスポイント１２，１５，１６は、スロット３のｄｏＴＰＣ時間帯３およびｎｏＴＰＣ時間帯３において、それぞれ、最大の送信電力Ｐｍａｘよりも小さい送信電力Ｐ１２Ｎ，Ｐ１５Ｎ，Ｐ１６Ｎを用いて自己の通信範囲内に存在する端末装置とデータパケットを送受信する。
【０２６７】
一方、スロット３において、ｄｏＴＰＣのアクセスポイント１７〜１９とそれに接続している端末装置は、チャネル使用率＝３／４およびスロット長を用いて、ｄｏＴＰＣ時間帯４＝スロット長×３／４を算出する。
【０２６８】
そして、制御アクセスポイントであるアクセスポイント１７は、ｄｏＴＰＣ時間帯４を含むＳＡＭ７を生成して一番高い優先度でチャネルにアクセスし、最大の送信電力Ｐｍａｘでブロードキャストする。ＳＡＭ７のＡ１，Ａ２，Ａ３は、実施例１において説明したとおりである。
【０２６９】
そうすると、アクセスポイント１４，１８，１９およびアクセスポイント１４，１７，１８，１９の通信範囲内に存在する端末装置は、ＳＡＭ７を受信する。そして、アクセスポイント１４およびアクセスポイント１４の通信範囲内に存在する端末装置は、無線通信を行なわない時間帯を示すＮＡＶをｄｏＴＰＣ時間帯４に設定する。他のｄｏＴＰＣのアクセスポイントと端末装置は、ＳＡＭ７を受信しても、ＮＡＶを設定せずに通信する。
【０２７０】
その後、アクセスポイント１７は、スロット３のｄｏＴＰＣ時間帯４において、最大の送信電力Ｐｍａｘよりも小さい送信電力Ｐ１７Ｎを用いて自己の通信範囲内に存在する端末装置とデータパケットを送受信する。また、ｄｏＴＰＣ時間帯４が終了すると、アクセスポイント１４とそれに接続している端末装置でのＮＡＶタイマーが満了するので、スロット３のｎｏＴＰＣ時間帯４に入り、アクセスポイント１４は、最大の送信電力Ｐｍａｘを用いて自己の通信範囲内に存在する端末装置とデータパケットを送受信する。更に、アクセスポイント１８，１９は、スロット３のｄｏＴＰＣ時間帯４において、それぞれ、最大の送信電力Ｐｍａｘよりも小さい送信電力Ｐ１８Ｎ，Ｐ１９Ｎを用いて自己の通信範囲内に存在する端末装置とデータパケットを送受信する。
【０２７１】
アクセスポイント１２，１５，１６，２０は、チャネル使用率＝１であるので、スロット３において、最大の送信電力Ｐｍａｘよりも小さい送信電力Ｐ１２Ｎ，Ｐ１５Ｎ，Ｐ１６Ｎ，Ｐ２０Ｎを用いて自己の通信範囲内に存在する端末装置とデータパケットを送受信する。
【０２７２】
スロット３が終了すると、ｄｏＴＰＣのアクセスポイント１１とそれに接続している端末装置は、スロット４において、チャネル使用率＝１／２およびスロット長を用いて、ｄｏＴＰＣ時間帯５＝スロット長×１／２を算出する。
【０２７３】
そして、制御アクセスポイントであるアクセスポイント１１は、ｄｏＴＰＣ時間帯５を含むＳＡＭ８を生成して一番高い優先度でチャネルにアクセスし、最大の送信電力Ｐｍａｘでブロードキャストする。ＳＡＭ８のＡ１，Ａ２，Ａ３は、実施例１において説明したとおりである。
【０２７４】
そうすると、アクセスポイント１３およびアクセスポイント１１，１３の通信範囲内に存在する端末装置は、ＳＡＭ８を受信する。そして、アクセスポイント１３およびアクセスポイント１３の通信範囲内に存在する端末装置は、無線通信を行なわない時間帯を示すＮＡＶをｄｏＴＰＣ時間帯５に設定し、ｄｏＴＰＣ時間帯５が終了するまで通信しない。他のｄｏＴＰＣのアクセスポイントと端末装置は、ＳＡＭ８を受信しても、ＮＡＶを設定せずに通信する。
【０２７５】
その後、アクセスポイント１１は、スロット４のｄｏＴＰＣ時間帯５において、最大の送信電力Ｐｍａｘよりも小さい送信電力Ｐ１１Ｎを用いて自己の通信範囲内に存在する端末装置とデータパケットを送受信する。また、ｄｏＴＰＣ時間帯５が終了すると、アクセスポイント１３とそれに接続している端末装置でのＮＡＶタイマーが満了するので、スロット４のｎｏＴＰＣ時間帯５に入る。アクセスポイント１３は、スロット４のｎｏＴＰＣ時間帯５において、最大の送信電力Ｐｍａｘを用いて自己の通信範囲内に存在する端末装置とデータパケットを送受信する。更に、アクセスポイント１２，１５，１６は、スロット４のｄｏＴＰＣ時間帯５およびｎｏＴＰＣ時間帯５において、それぞれ、最大の送信電力Ｐｍａｘよりも小さい送信電力Ｐ１２Ｎ，Ｐ１５Ｎ，Ｐ１６Ｎを用いて自己の通信範囲内に存在する端末装置とデータパケットを送受信する。
【０２７６】
一方、ｄｏＴＰＣのアクセスポイント１７〜１９とそれらに接続している端末装置は、スロット４において、チャネル使用率＝３／４およびスロット長を用いて、ｄｏＴＰＣ時間帯６＝スロット長×３／４を算出し、ｎｏＴＰＣ時間帯６＝スロット長×（１−３／４）を算出する。
【０２７７】
そして、制御アクセスポイントであるアクセスポイント１７は、ｄｏＴＰＣ時間帯６およびｎｏＴＰＣ時間帯６を含むＳＡＭ９を生成して一番高い優先度でチャネルにアクセスし、最大の送信電力Ｐｍａｘでブロードキャストする。ＳＡＭ９のＡ１，Ａ２，Ａ３は、実施例１において説明したとおりである。
【０２７８】
そうすると、アクセスポイント１４，１８，１９およびアクセスポイント１４，１７，１８，１９の通信範囲内に存在する端末装置は、ＳＡＭ９を受信する。そして、アクセスポイント１４およびアクセスポイント１４の通信範囲内に存在する端末装置は、無線通信を行なわない時間帯を示すＮＡＶをｄｏＴＰＣ時間帯６に設定し、ｄｏＴＰＣ時間帯６が終了するまで通信しない。他のｄｏＴＰＣのアクセスポイントと端末装置は、ＳＡＭ９を受信しても、ＮＡＶを設定せずに通信する。
【０２７９】
その後、アクセスポイント１７は、スロット４のｄｏＴＰＣ時間帯６において、最大の送信電力Ｐｍａｘよりも小さい送信電力Ｐ１７Ｎを用いて自己の通信範囲内に存在する端末装置とデータパケットを送受信する。また、アクセスポイント１４は、スロット４のｎｏＴＰＣ時間帯６において、最大の送信電力Ｐｍａｘを用いて自己の通信範囲内に存在する端末装置とデータパケットを送受信する。更に、アクセスポイント１８，１９は、スロット４のｄｏＴＰＣ時間帯６において、それぞれ、最大の送信電力Ｐｍａｘよりも小さい送信電力Ｐ１８Ｎ，Ｐ１９Ｎを用いて自己の通信範囲内に存在する端末装置とデータパケットを送受信する。
【０２８０】
アクセスポイント１２，１５，１６，２０は、チャネル使用率＝１であるので、スロット４において、最大の送信電力Ｐｍａｘよりも小さい送信電力Ｐ１２Ｎ，Ｐ１５Ｎ，Ｐ１６Ｎ，Ｐ２０Ｎを用いて自己の通信範囲内に存在する端末装置とデータパケットを送受信する。
【０２８１】
なお、実施例２においても、制御アクセスポイントであるアクセスポイント１１，１７は、それぞれ、ｄｏＴＰＣ時間帯において、アクセスポイント１３，１４が無線通信を行なっているか否かを監視する。
【０２８２】
このように、実施例２においては、制御対象のアクセスポイント１３，１４に隣接しないアクセスポイント１２，１５，１６，２０は、いつでも、送信電力を制御して無線通信を行なう。また、アクセスポイント１１，１７〜１９は、スロットのｄｏＴＰＣ時間帯に送信電力を制御して無線通信を行なう。更に、アクセスポイント１３，１４は、スロットのｎｏＴＰＣ時間帯に送信電力を制御しないで無線通信を行なう。
【０２８３】
その結果、アクセスポイント１３，１４による無線通信は、アクセスポイント１１，１２，１５〜２０による無線通信と干渉しないので、アクセスポイント１１，１２，１５〜２０が送信電力を制御して無線通信を行なっても、非対称リンクが発生せず、スループットを向上できる。
【０２８４】
従って、送信電力を制御するアクセスポイント１１，１２，１５〜２０と、送信電力を制御しないアクセスポイント１３，１４とが共存する環境においても、送信電力を制御することによってスループットを向上できる。
【０２８５】
また、制御対象のアクセスポイント１３，１４に隣接しないアクセスポイント１２，１５，１６，２０は、いつでも、送信電力を制御して無線通信を行なうので、アクセスポイント１２，１５，１６，２０による無線通信のスループットをアクセスポイント１２，１５，１６，２０がｄｏＴＰＣ時間帯においてのみ無線通信を行なう場合よりも向上できる。
【０２８６】
実施例２におけるその他の説明は、実施例１と同じである。
【０２８７】
上記においては、電力制御装置６０がアクセスポイント１１，１２，１５〜２０において使用される送信電力、スロット長、チャネル使用率、制御アクセスポイントおよび制御対象のアクセスポイントを決定してアクセスポイント１１，１２，１５〜２０へ送信すると説明したが、この発明の実施の形態においては、これに限らず、これらの送信電力、スロット長、チャネル使用率、制御アクセスポイントおよび制御対象のアクセスポイントは、電力制御装置６０以外によって決定されてもよく、最終的にアクセスポイント１１，１２，１５〜２０へ入力されればよい。従って、この発明の実施の形態による通信システムは、アクセスポイント１０〜２１だけを備えていればよい。
【０２８８】
なお、この発明の実施の形態においては、ＣＳＧは、「接続関係集合」を構成する。
【０２８９】
また、この発明の実施の形態においては、アクセスポイント１２，１５，１６，１８〜２０は、「第１のアクセスポイント」を構成し、アクセスポイント１３，１４は、「第２のアクセスポイント」を構成し、アクセスポイント１１，１７は、「第３のアクセスポイント」を構成する。
【０２９０】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２９１】
この発明は、通信システムに適用される。
【符号の説明】
【０２９２】
１〜９  端末装置、１０〜２１  アクセスポイント、４０  ネットワーク、５０  監視サーバ、６０  電力制御装置、６１，１１４  有線インターフェース、６２，１０３，１１３  通信手段、６３  決定手段、６４  調整手段、１００  通信システム、１０１  アンテナ、１０２，１１２  無線インターフェース、１０４  アプリケーションモジュール。
【図１】
2012209836.tif 000003
【図２】
2012209836.tif 000004
【図３】
2012209836.tif 000005
【図４】
2012209836.tif 000006
【図５】
2012209836.tif 000007
【図６】
2012209836.tif 000008
【図７】
2012209836.tif 000009
【図８】
2012209836.tif 000010
【図９】
2012209836.tif 000011
【図１０】
2012209836.tif 000012
【図１１】
2012209836.tif 000013
【図１２】
2012209836.tif 000014
【図１３】
2012209836.tif 000015
【図１４】
2012209836.tif 000016
【図１５】
2012209836.tif 000017
【図１６】
2012209836.tif 000018
【図１７】
2012209836.tif 000019